(57)【要約】  第１の電子小売業者を通じた出版社により出版されるデジタル資産の第１の消費者による購入を少なくとも１つの第１のデバイス上での第１の消費者への提示に向けて登録する段階であって、デジタル資産が、出版社により出版され、電子小売業者が、消費者に出版社により出版されたデジタル資産を販売する前記登録する段階と、出版社による中古販売許可命令に応答して、第１の消費者が複数の電子小売業者を通じて電子中古デジタル資産として中古販売に向けてデジタル資産を提供することを可能にする段階と、（ａ）電子小売業者又は（ｂ）第２の消費者又は（ｃ）デジタル資産を売り買いする別のエンティティのいずれかによる電子中古デジタル資産の購入を更に登録する段階とを含むデジタル資産の中古販売の方法。システムも説明して特許主張する。【選択図】      図１
2014507733.tif 000002
【特許請求の範囲】
【請求項１】
デジタル資産を中古販売する方法であって、
第１の消費者によるデジタル資産の第１の電子小売業者を通じた購入を少なくとも１つの第１のデバイス上での該第１の消費者への提示に向けて登録する段階であって、該デジタル資産が、出版社により出版され、電子小売業者が、消費者に該出版社により出版されたデジタル資産を販売する前記登録する段階と、
前記出版社による中古販売許可命令に応答して、前記第１の消費者が複数の電子小売業者を通じて電子中古デジタル資産として中古販売に向けて前記デジタル資産を提供することを可能にする段階と、
（ａ）電子小売業者、又は（ｂ）第２の消費者、又は（ｃ）デジタル資産を売り買いする別のエンティティのうちのいずれかによる前記電子中古デジタル資産の購入を更に登録する段階と、
を含むことを特徴とする方法。
【請求項２】
前記少なくとも１つの第１のデバイスが前記デジタル資産を提示するのを阻止する段階を更に含むことを特徴とする請求項１に記載の方法。
【請求項３】
前記阻止する段階は、前記少なくとも１つの第１のデバイスから前記デジタル資産を除去する段階を含むことを特徴とする請求項２に記載の方法。
【請求項４】
前記阻止する段階は、前記少なくとも１つの第１のデバイスが前記デジタル資産を提示するのを無効にする段階を含むことを特徴とする請求項２に記載の方法。
【請求項５】
前記第１の消費者、前記出版社、及び前記１つ又はそれよりも多くの電子小売業者のうちの１つ又はそれよりも多くの間での前記第２の電子小売業者又は前記第２の消費者又は別のエンティティにより支払われた購入価格の現金又は購入クレジットの割り当てを含む割り当てを判断する段階を更に含むことを特徴とする請求項１に記載の方法。
【請求項６】
前記割り当てを判断する段階は、前記第１の消費者に現金の金額を割り当てる第１のオプション及び該第１の消費者にその代わりにクレジットを同じか又はより高い金額で割り当てる第２のオプションを判断することを特徴とする請求項５に記載の方法。
【請求項７】
前記第２の電子小売業者又は前記第２の消費者により支払われる購入価格が、前記第１の消費者により支払われる購入価格に対する値引き価格であることを特徴とする請求項１に記載の方法。
【請求項８】
（ｉ）前記デジタル資産の指定された数のコピーが販売されたこと、（ｉｉ）該デジタル資産の販売から指定された収益がもたらされたこと、（ｉｉｉ）該デジタル資産の第１のリリース日付からの指定された期間が満了したこと、及び（ｉｖ）指定された日付が到来したことから構成される群のメンバ又はメンバの論理結合であるトリガイベントが発生した時に前記出版社から前記中古販売許可命令を自動的に発生させる段階を更に含むことを特徴とする請求項１に記載の方法。
【請求項９】
前記可能にする段階及び前記更に登録する段階は、連続する消費者又は他のエンティティへの連続する中古販売に向けて繰り返されることを特徴とする請求項１に記載の方法。
【請求項１０】
（ｉ）前記デジタル資産の指定された数のコピーが消費者による中古販売に向けて提供されたこと、（ｉｉ）該デジタル資産の指定された数のコピーが中古販売されたこと、（ｉｉｉ）指定された数の消費者が、中古販売に向けて該資産を提供したこと、及び（ｉｖ）指定された日付が到来したことから構成される群のメンバ又はメンバの論理結合であるトリガイベントが発生した時に前記中古販売許可を自動的に取り消す段階を更に含むことを特徴とする請求項１に記載の方法。
【請求項１１】
前記デジタル資産の特定のコピーに対する前記中古販売許可を（ｉ）指定された期間が該資産の該コピーの第１の中古販売から経過したこと、（ｉｉ）該資産の該コピーの現在の所有者が該資産を取得してから指定された期間が経過したこと、及び（ｉｉｉ）該資産の該コピーの指定された数の中古販売が行われたことから構成される群のメンバ又はメンバの論理結合であるトリガイベントが発生した時に自動的に取り消す段階を更に含むことを特徴とする請求項１に記載の方法。
【請求項１２】
前記第１の消費者からの中古販売要求命令に応答して、電子中古デジタル資産としての中古販売に向けて前記デジタル資産を広告するように前記複数の電子小売業者に命令する段階を更に含むことを特徴とする請求項１に記載の方法。
【請求項１３】
前記出版社からの前記中古販売許可命令に応答して、前記第１の消費者から前記中古販売要求命令を自動的に発生させる段階を更に含むことを特徴とする請求項１２に記載の方法。
【請求項１４】
前記出版社からの前記中古販売許可命令は、前記デジタル資産を中古販売することができる消費者の数に対する限度を規定し、
前記可能にする段階は、中古販売に向けて前記デジタル資産を提供することを既に可能にされた他の消費者の数が該規定された限度よりも少ない時に限り実行される、
ことを特徴とする請求項１に記載の方法。
【請求項１５】
前記デジタル資産は、電子ブック、オーディオブック、ビデオ、歌、ゲーム、及びソフトウエアアプリケーションから構成される群のメンバであることを特徴とする請求項１に記載の方法。
【請求項１６】
デジタル資産の中古販売のためのシステムであって、
（ｉ）各電子小売業者が消費者に１つ又はそれよりも多くの出版社により出版されたデジタル資産を販売する複数の電子小売業者のうちのいずれかの第１のものからの出版社により出版されるデジタル資産の第１の消費者による購入を少なくとも１つの第１のデバイス上での該第１の消費者への提示に向けて登録し、（ｉｉ）該出版社からの中古販売許可命令に応答して、該第１の消費者が該複数の電子小売業者の各々を通じて電子中古デジタル資産として中古販売に向けて該デジタル資産を提供することを可能にし、かつ（ｉｉｉ）（ａ）該複数の電子小売業者のいずれか１つ、（ｂ）第２の消費者、又は（ｃ）デジタル資産を売り買いする別のエンティティのうちのいずれかによる電子中古デジタル資産としての該デジタル資産の購入を更に登録するために、該複数の電子小売業者とインタフェースで接続する登録モジュール、
を含むことを特徴とするシステム。
【請求項１７】
前記少なくとも１つの第１のデバイスが前記デジタル資産を提示するのを阻止するために前記登録モジュールに結合した清算モジュールを更に含むことを特徴とする請求項１６に記載のシステム。
【請求項１８】
前記第１の消費者、前記出版社、及び前記１つ又はそれよりも多くの電子小売業者のうちの１つ又はそれよりも多くの間での前記第２の電子小売業者により又は前記第２の消費者により又は別のエンティティにより支払われた購入価格の現金又は購入クレジットの割り当てを含む割り当てを判断するために前記登録モジュールに結合した清算モジュールを更に含むことを特徴とする請求項１６に記載のシステム。
【請求項１９】
前記清算モジュールは、前記第１の消費者に現金の金額が割り当てられる第１のオプション及び該第１の消費者にその代わりに同じか又はより高い金額でクレジットが割り当てられる第２のオプションを判断することを特徴とする請求項１８に記載のシステム。
【請求項２０】
前記第２の電子小売業者又は前記第２の消費者により支払われる購入価格が、前記第１の消費者により支払われる購入価格に対する値引き価格であることを特徴とする請求項１６に記載のシステム。
【請求項２１】
前記登録モジュールは、（ｉ）前記デジタル資産の指定された数のコピーが販売されたこと、（ｉｉ）該デジタル資産の販売からの指定された収益がもたらされたこと、（ｉｉｉ）該デジタル資産の第１のリリース日付からの指定された期間が満了したこと、及び（ｉｖ）指定された日付が到来したことから構成される群のメンバ又はメンバの論理結合であるトリガイベントが発生した時に前記中古販売許可命令を自動的に発生させることを特徴とする請求項１６に記載のシステム。
【請求項２２】
前記登録モジュール及び追跡モジュールは、連続する消費者又は他のエンティティへの連続する中古販売に向けて（ｉｉ）前記可能にする段階及び（ｉｉｉ）前記更に登録する段階を繰り返すことを特徴とする請求項１６に記載のシステム。
【請求項２３】
前記登録モジュールは、（ｉ）前記デジタル資産の指定された数のコピーが消費者による中古販売に向けて提供されたこと、（ｉｉ）該デジタル資産の指定された数のコピーが中古販売されたこと、（ｉｉｉ）指定された数の消費者が中古販売に向けて該資産を提供したこと、及び（ｉｖ）指定された日付が到来したことから構成される群のメンバ又はメンバの論理結合であるトリガイベントが発生した時に前記中古販売許可を自動的に取り消すことを特徴とする請求項１６に記載のシステム。
【請求項２４】
前記登録モジュールは、前記デジタル資産の特定のコピーに対する前記中古販売許可を（ｉ）該資産の該コピーの第１の中古販売からの指定された期間が経過したこと、（ｉｉ）該資産の該コピーの現在の所有者が該資産を取得してからの指定された期間が経過したこと、及び（ｉｉｉ）該資産の該コピーの指定された数の中古販売が行われたことから構成される群のメンバ又はメンバの論理結合であるトリガイベントが発生した時に自動的に取り消すことを特徴とする請求項１６に記載のシステム。
【請求項２５】
前記登録モジュールは、前記第１の消費者からの中古販売要求命令に応答して、電子中古デジタル資産としての中古販売に向けて前記デジタル資産を広告するように前記複数の電子小売業者に命令することを特徴とする請求項１６に記載のシステム。
【請求項２６】
前記出版社からの前記中古販売許可命令に応答して、前記第１の消費者から前記中古販売要求命令を自動的に発生させることを更に含むことを特徴とする請求項２５に記載のシステム。
【請求項２７】
前記出版社からの前記中古販売許可命令は、前記デジタル資産を中古販売することができる消費者の数に対する限度を規定し、
前記登録モジュールは、中古販売に向けて前記デジタル資産を提供することを可能にされた他の消費者の数が該規定された限度よりも少ない時に限り、前記第１の消費者が中古販売に向けて該デジタル資産を提供することを可能にする、
ことを特徴とする請求項１６に記載のシステム。
【請求項２８】
前記デジタル資産は、電子ブック、オーディオブック、ビデオ、歌、ゲーム、及びソフトウエアアプリケーションから構成される群のメンバであることを特徴とする請求項１６に記載のシステム。
【請求項２９】
デジタル資産を貸し出す方法であって、
第１の消費者によるデジタル資産の第１の電子小売業者を通じた購入を少なくとも１つの第１のデバイス上での該第１の消費者への提示に向けて登録する段階であって、該デジタル資産が、出版社により出版され、電子小売業者が、消費者に該出版社により出版されたデジタル資産を販売する前記登録する段階と、
前記出版社による貸出許可命令に応答して、前記第１の消費者が貸付期間中の貸し付けに向けて前記デジタル資産を提供することを可能にする段階と、
第２の消費者への前記デジタル資産の貸し付けを前記貸付期間中の少なくとも１つの第２のデバイス上での該第２の消費者への提示に向けて更に登録する段階と、
前記少なくとも１つの第１のデバイスが前記貸付期間の継続時間にわたって前記デジタル資産を提示するのを阻止する段階と、
前記少なくとも１つの第１のデバイスが前記貸付期間の終了後に前記デジタル資産を提示することを再度可能にする段階と、
前記少なくとも１つの第２のデバイスが前記貸付期間の終了後に前記デジタル資産を提示するのを阻止する段階と、
を含むことを特徴とする方法。
【請求項３０】
前記可能にする段階は、前記第１の消費者が、指定された第２の消費者への貸し付けに向けて前記デジタル資産を提供することを可能にすることを特徴とする請求項２９に記載の方法。
【請求項３１】
前記可能にする段階は、前記第１の消費者が、指定されていない第２の消費者への貸し付けに向けて前記デジタル資産を提供することを可能にすることを特徴とする請求項２９に記載の方法。
【請求項３２】
前記可能にする段階は、前記第１の消費者が、指定された群の消費者のあらゆるメンバへの貸し付けに向けて前記デジタル資産を提供することを可能にすることを特徴とする請求項２９に記載の方法。
【請求項３３】
少なくとも前記出版社及び前記電子小売業者の間での前記第２の消費者により支払われた貸付料金の割り当てを判断する段階を更に含むことを特徴とする請求項２９に記載の方法。
【請求項３４】
前記少なくとも１つの第１のデバイスを阻止する前記段階は、該少なくとも１つの第１のデバイスから前記デジタル資産を除去する段階を含み、
前記少なくとも１つの第２のデバイスを阻止する前記段階は、該少なくとも１つの第２のデバイスから前記デジタル資産を除去する段階を含む、
ことを特徴とする請求項２９に記載の方法。
【請求項３５】
前記少なくとも１つの第１のデバイスを阻止する前記段階は、該少なくとも１つの第１のデバイスが前記デジタル資産を提示するのを無効にする段階を含み、
前記少なくとも１つの第２のデバイスを阻止する前記段階は、該少なくとも１つの第２のデバイスが前記デジタル資産を提示するのを無効にする段階を含む、
ことを特徴とする請求項２９に記載の方法。
【請求項３６】
（ｉ）前記デジタル資産の指定された数のコピーが販売されたこと、（ｉｉ）該デジタル資産の販売から指定された収益がもたらされたこと、（ｉｉｉ）該デジタル資産の第１のリリース日付からの指定された期間が満了したこと、及び（ｉｖ）指定された日付が到来したことから構成される群のメンバ又はメンバの論理結合であるトリガイベントが発生した時に前記出版社からの前記貸出許可命令を自動的に発生させる段階を更に含むことを特徴とする請求項２９に記載の方法。
【請求項３７】
前記デジタル資産は、電子ブック、オーディオブック、ビデオ、歌、ゲーム、及びソフトウエアアプリケーションから構成される群のメンバであることを特徴とする請求項２９に記載の方法。
【請求項３８】
デジタル資産を貸し出すためのシステムであって、
（ｉ）消費者に１つ又はそれよりも多くの出版社により出版されたデジタル資産を販売する電子小売業者からの出版社により出版されるデジタル資産の第１の消費者による購入を少なくとも１つの第１のデバイス上での該第１の消費者への提示に向けて登録し、（ｉｉ）該出版社による貸出許可命令に応答して、該第１の消費者が貸付期間中の貸し付けに向けて該デジタル資産を提供することを可能にし、かつ（ｉｉｉ）該貸付期間中の少なくとも１つの第２のデバイス上での第２の消費者への提示に対して該デジタル資産の貸し付けを更に登録するための登録モジュールと、
（ｉｖ）前記少なくとも１つの第１のデバイスが前記貸付期間の継続時間にわたって前記デジタル資産を提示するのを阻止し、（ｖ）該少なくとも１つの第１のデバイスが該貸付期間の終了後に該デジタル資産を提示することを再度可能にし、かつ（ｖｉ）前記少なくとも１つの第２のデバイスが該貸付期間の終了後に該デジタル資産を提示するのを阻止するために前記登録モジュールに結合した貸付清算モジュールと、
を含むことを特徴とするシステム。
【請求項３９】
前記登録モジュールは、前記第１の消費者が、指定された第２の消費者への貸し付けに向けて前記デジタル資産を提供することを可能にすることを特徴とする請求項３８に記載のシステム。
【請求項４０】
前記登録モジュールは、前記第１の消費者が、指定されていない第２の消費者への貸し付けに向けて前記デジタル資産を提供することを可能にすることを特徴とする請求項３８に記載のシステム。
【請求項４１】
前記登録モジュールは、前記第１の消費者が、指定された群の消費者のあらゆるメンバへの貸し付けに向けて前記デジタル資産を提供することを可能にすることを特徴とする請求項３８に記載のシステム。
【請求項４２】
前記貸付清算モジュールは、少なくとも前記出版社及び前記電子小売業者の間での前記第２の消費者により支払われた貸出し料金の割り当てを判断することを特徴とする請求項３８に記載のシステム。
【請求項４３】
前記登録モジュールは、（ｉ）前記デジタル資産の指定された数のコピーが販売されたこと、（ｉｉ）該デジタル資産の販売から指定された収益がもたらされたこと、（ｉｉｉ）該デジタル資産の第１のリリース日付からの指定された期間が満了したこと、及び（ｉｖ）指定された日付が到来したことから構成される群のメンバ又はメンバの論理結合であるトリガイベントが発生した時に前記出版社からの貸出許可命令を自動的に発生させることを特徴とする請求項３８に記載のシステム。
【請求項４４】
前記デジタル資産は、電子ブック、オーディオブック、ビデオ、歌、ゲーム、及びソフトウエアアプリケーションから構成される群のメンバであることを特徴とする請求項３８に記載のシステム。
【請求項４５】
デジタル資産に対する市価を判断する方法であって、
消費者に出版社により出版されたデジタル資産を販売する電子小売業者を通じて該デジタル資産を購入し、かつ該出版社により指定された価格帯で該デジタル資産を販売する許可を該出版社から取得したそれぞれ１人又はそれよりも多くの消費者による該出版社により出版された該デジタル資産を販売する１つ又はそれよりも多くの指し値を登録する段階と、
それぞれ１人又はそれよりも多くの潜在的な買い手による前記デジタル資産を購入する１つ又はそれよりも多くの指し値を登録する段階と、
前記デジタル資産に対する価格を判断するために、販売する前記１つ又はそれよりも多くの登録された指し値及び購入する前記１つ又はそれよりも多くの登録された指し値を分析する段階と、
前記価格の少なくとも一部分を前記出版社にかつ該価格の一部分を前記電子小売業者に割り当てる段階と、
を含むことを特徴とする方法。
【請求項４６】
販売する前記指し値の前記それぞれ１つ又はそれよりも多くの価格は、前記出版社により指定された価格帯内であるように抑制されることを特徴とする請求項４５に記載の方法。
【請求項４７】
（ｉ）販売する前記指し値の前記それぞれの価格、（ｉｉ）販売する該指し値が登録された順序、及び（ｉｉｉ）販売する該指し値を出す前記それぞれ１人又はそれよりも多くの消費者の販売又は購入履歴から構成された群の１つ又はそれよりも多くのメンバに基づいて販売する該指し値を処理するための優先順位を判断する段階を更に含むことを特徴とする請求項４５に記載の方法。
【請求項４８】
前記デジタル資産を販売する各指し値が、販売に向けて提供された該デジタル資産のそれぞれの数のコピーを含み、
前記優先順位を判断する段階はまた、（ｉｖ）販売する各指し値において販売に向けて提供された前記デジタル資産のコピーの前記それぞれの数に基づく、
ことを特徴とする請求項４７に記載の方法。
【請求項４９】
前記デジタル資産を購入する各指し値が、前記それぞれの潜在的な買い手により買われるために提供された該デジタル資産のそれぞれの数のコピーを含み、
前記優先順位を判断する段階はまた、（ｖ）購入する前記指し値において買われるために提供された前記デジタル資産のコピーの前記それぞれの数に基づく、
ことを特徴とする請求項４７に記載の方法。
【請求項５０】
デジタル資産に対する市価を判断するためのシステムであって、
（ｉ）消費者に出版社により出版されたデジタル資産を販売する電子小売業者を通じてデジタル資産を購入し、かつそれぞれ１つ又はそれよりも多くの価格で該デジタル資産を販売する許可を該出版社から取得したそれぞれ１人又はそれよりも多くの消費者による該出版社により出版された該デジタル資産を販売するための１つ又はそれよりも多くの指し値を登録し、かつ（ｉｉ）該デジタル資産を購入するそれぞれ１人又はそれよりも多くの潜在的な買い手による１つ又はそれよりも多くの指し値を登録するための登録モジュールと、
販売する前記１つ又はそれよりも多くの登録された指し値及び購入する前記１つ又はそれよりも多くの登録された指し値を分析して前記デジタル資産に対する価格を判断するために前記登録モジュールに結合した分析モジュールと、
前記価格の少なくとも一部分を前記出版社にかつ該価格の一部分を前記電子小売業者に割り当てるために前記登録モジュールに結合した収益割当器と、
を含むことを特徴とするシステム。
【請求項５１】
前記登録モジュールは、販売する前記指し値の前記それぞれ１つ又はそれよりも多くの価格を前記出版社により指定された価格帯内であるように抑制することを特徴とする請求項５０に記載のシステム。
【請求項５２】
前記分析モジュールは、（ｉ）販売する前記指し値の前記それぞれの価格、（ｉｉ）販売する該指し値が登録された順序、及び（ｉｉｉ）販売する該指し値を出す前記それぞれ１人又はそれよりも多くの消費者の販売又は購入履歴から構成された群の１つ又はそれよりも多くのメンバに基づいて、販売する該指し値を処理するための優先順位を判断することを特徴とする請求項５０に記載のシステム。
【請求項５３】
前記デジタル資産を販売する各指し値が、販売に向けて提供された該デジタル資産のそれぞれの数のコピーを含み、
前記分析モジュールは、（ｉｖ）販売する各指し値において販売に向けて提供された前記デジタル資産のコピーの前記それぞれの数にも基づいて前記優先順位を判断する、
ことを特徴とする請求項５２に記載のシステム。
【請求項５４】
前記デジタル資産を購入する各指し値が、前記それぞれの潜在的な買い手により買われるために提供された該デジタル資産のそれぞれの数のコピーを含み、
前記分析モジュールは、（ｖ）購入する前記指し値において買われるために提供された前記デジタル資産のコピーの前記それぞれの数にも基づいて前記優先順位を判断する、
ことを特徴とする請求項５２に記載のシステム。
【請求項５５】
デジタル資産のための市場を作り出す方法であって、
デジタル資産を所有し、かつ出版社により指定された価格帯で該デジタル資産を販売する許可を該出版社から取得したそれぞれ１人又はそれよりも多くの消費者による該出版社により出版された該デジタル資産を販売するための１つ又はそれよりも多くの指し値を登録する段階と、
それぞれ１人又はそれよりも多くの潜在的な買い手による前記デジタル資産を購入する１つ又はそれよりも多くの指し値を登録する段階と、
前記出版社に割り当てられる売上げ収益の各部分を規定する収益分け前を登録する段階と、
売買価格を判断するために、販売する前記１つ又はそれよりも多くの登録された指し値、購入する前記１つ又はそれよりも多くの登録された指し値、及び前記登録された収益分け前を分析する段階と、
前記資産を販売する登録された指し値を有する前記１人又はそれよりも多くの消費者から前記デジタル資産のコピーを前記判断された購入価格で購入する段階と、
前記資産を購入する登録された指し値を有する前記１人又はそれよりも多くの潜在的な買い手に前記購入した資産を前記判断された販売価格で販売する段階と、
前記登録された収益分け前に従って前記出版社に売上げ収益の一部分を割り当てる段階と、
を含むことを特徴とする方法。
【請求項５６】
前記デジタル資産は、ビデオ、歌、電子ブック、オーディオブック、ゲーム、及びソフトウエアアプリケーションから構成される群のメンバであることを特徴とする請求項５５に記載の方法。
【請求項５７】
販売消費者による前記デジタル資産の所有権が、該消費者のデジタルストレージデバイスの１つ又はそれよりも多くに該デジタル資産のコピーを有する該消費者により確立されることを特徴とする請求項５５に記載の方法。
【請求項５８】
販売消費者による前記デジタル資産の所有権が、該デジタル資産が該消費者のデジタルストレージデバイスのいずれにも恒久的に記憶されることなく、該デジタル資産を使用する権利を有する該消費者により確立されることを特徴とする請求項５５に記載の方法。
【請求項５９】
デジタル資産のための市場を作り出すためのシステムであって、
（ｉ）デジタル資産を所有し、かつ出版社により指定された価格帯で該デジタル資産を販売する許可を該出版社から取得したそれぞれ１人又はそれよりも多くの消費者による該出版社により出版された該デジタル資産を販売するための１つ又はそれよりも多くの指し値を登録し、（ｉｉ）該デジタル資産を購入するそれぞれ１人又はそれよりも多くの潜在的な買い手による１つ又はそれよりも多くの指し値を登録し、かつ（ｉｉｉ）該出版社に割り当てられる売上げ収益の各部分を規定する収益分け前を登録するための市場登録器と、
売買価格を判断するために、販売する前記１つ又はそれよりも多くの登録された指し値、購入する前記１つ又はそれよりも多くの登録された指し値、及び前記登録された収益分け前を分析するための市場分析器と、
（ｉ）前記資産を販売する登録された指し値を有する前記１人又はそれよりも多くの消費者から前記デジタル資産のコピーを前記判断された購入価格で購入し、（ｉｉ）該資産を購入する登録された指し値を有する前記１人又はそれよりも多くの潜在的な買い手に該購入した資産を前記判断された販売価格で販売し、かつ（ｉｉｉ）前記登録された収益分け前に従って前記出版社に売上げ収益の一部分を割り当てるための市場取引マネージャと、
を含むことを特徴とするシステム。
【請求項６０】
前記デジタル資産は、ビデオ、歌、電子ブック、オーディオブック、ゲーム、及びソフトウエアアプリケーションから構成される群のメンバであることを特徴とする請求項５９に記載のシステム。
【請求項６１】
販売消費者による前記デジタル資産の所有権が、該消費者のデジタルストレージデバイスの１つ又はそれよりも多くに該デジタル資産のコピーを有する該消費者により確立されることを特徴とする請求項５９に記載のシステム。
【請求項６２】
販売消費者による前記デジタル資産の所有権が、該デジタル資産が該消費者のデジタルストレージデバイスのいずれにも恒久的に記憶されることなく、該デジタル資産を使用する権利を有する該消費者により確立されることを特徴とする請求項５９に記載のシステム。
【請求項６３】
デジタル資産の在庫を鑑定する方法であって、
登録されたデジタル資産の在庫内の各デジタル資産及び各デジタル資産に対する登録された権利に対して、該デジタル資産を購入することができるコンテンツソースから該デジタル資産に対する該登録された権利を購入する費用を判断する段階と、
前記判断された費用に基づいて前記在庫の鑑定価格を導出する段階と、
を含むことを特徴とする方法。
【請求項６４】
前記在庫における各デジタル資産に対して、該デジタル資産を取得することができる前記コンテンツソースの位置を識別する段階を更に含むことを特徴とする請求項６３に記載の方法。
【請求項６５】
各登録されたデジタル資産が、物理メディア及び非物理メディアから構成される群のメンバであることを特徴とする請求項６３に記載の方法。
【請求項６６】
各登録されたデジタル資産が、ビデオ、歌、電子ブック、オーディオブック、ゲーム、及びソフトウエアアプリケーションから構成される群のメンバであることを特徴とする請求項６３に記載の方法。
【請求項６７】
デジタル資産の在庫に保険を掛ける方法であって、
登録されたデジタル資産の在庫及び各デジタル資産に対する登録された権利を動的に維持する段階と、
前記在庫内の少なくとも１つのデジタル資産に対する保険金請求を受信する段階と、
前記保険金請求内の各デジタル資産に対して、
前記デジタル資産を取得することができるコンテンツソースの位置を識別する段階と、
前記位置を識別されたコンテンツソースから前記デジタル資産に対する前記登録された権利を取得する段階と、
を含むことを特徴とする方法。
【請求項６８】
前記保険金請求における各デジタル資産に対して、該デジタル資産に対する前記登録された権利が現在有効であることを検証する段階を更に含み、
前記位置を識別する段階及び前記取得する段階は、検証されたデジタル資産を処理するだけである、
ことを特徴とする請求項６７に記載の方法。
【請求項６９】
前記位置を識別する段階がコンテンツソースの位置を識別することができない在庫内の各デジタル資産のコピーを保存する段階を更に含むことを特徴とする請求項６７に記載の方法。
【請求項７０】
デジタル資産の在庫を鑑定するためのシステムであって、
登録されたデジタル資産の在庫内の各デジタル資産及び各デジタル資産に対する登録された権利に対して、該デジタル資産を購入することができるコンテンツソースから該デジタル資産に対する該登録された権利を購入する費用を判断し、かつ該判断された費用に基づいて該在庫の鑑定価格を導出するための在庫鑑定器、
を含むことを特徴とするシステム。
【請求項７１】
前記在庫内の各デジタル資産に対して、該デジタル資産を取得することができる前記コンテンツソースの位置を識別するために前記在庫マネージャに結合したコンテンツルータを更に含むことを特徴とする請求項７０に記載のシステム。
【請求項７２】
各登録されたデジタル資産が、物理メディア及び非物理メディアから構成される群のメンバであることを特徴とする請求項７１に記載のシステム。
【請求項７３】
各登録されたデジタル資産が、ビデオ、歌、電子ブック、オーディオブック、ゲーム、及びソフトウエアアプリケーションから構成される群のメンバであることを特徴とする請求項７０に記載のシステム。
【請求項７４】
デジタル資産の在庫に保険を掛けるためのシステムであって、
登録されたデジタル資産の在庫及び各デジタル資産に対する登録された権利に関する情報を動的に維持するための在庫マネージャと、
前記在庫内の少なくとも１つのデジタル資産に対する保険金請求を受信するために前記在庫マネージャに結合した保険金請求プロセッサと、
前記保険金請求内の各デジタル資産に対して、該デジタル資産を取得することができるコンテンツソースの位置を識別するためのコンテンツルータと、
前記保険金請求における各デジタル資産に対して、前記コンテンツルータにより位置が識別された前記コンテンツソースから該デジタル資産に対する前記登録された権利を取得するために、該コンテンツルータ及び前記保険金請求プロセッサに結合した取引マネージャと、
を含むことを特徴とするシステム。
【請求項７５】
前記保険金請求における各デジタル資産に対して、該デジタル資産に対する前記登録された権利が現在有効であることを検証するために、前記保険金請求プロセッサ及び前記前記取引マネージャに結合した権利マネージャを更に含み、
前記取引マネージャは、前記権利マネージャにより検証されたデジタル資産に対する登録された権利を取得するだけである、
ことを特徴とする請求項７４に記載のシステム。
【請求項７６】
前記在庫マネージャは、前記コンテンツルータがコンテンツソースの位置を識別することができない在庫内の各デジタル資産のコピーを保存することを特徴とする請求項７４に記載のシステム。
【発明の詳細な説明】
【技術分野】
【０００１】
〔関連出願への相互参照〕
本出願は、これによって引用により組み込まれる２０１１年２月２３日出願の「電子中古デジタル資産及び取得後収益」という名称の米国特許仮出願第６１／４４６，０１５号の優先権恩典を請求するものであり、本出願はまた、２００７年３月１３日に米国特許第７，１９１，１９３号として付与された２００３年１月２日出願の「自動デジタル音楽ライブラリビルダー」という名称の本出願人の米国特許出願第１０／３３６，４４３号の一部継続出願である２００４年４月２１日出願の「携帯式音楽再生機及び送信機」という名称の本出願人の米国特許出願第１０／８２９，５８１号の一部継続出願である２００４年７月１６日出願の「デジタル音楽の権利を管理する方法及びシステム」という名称の本出願人の米国特許出願第１０／８９３，４７３号の一部継続出願である２００５年１０月２８日出願の「デジタル音楽の権利を追跡及び管理する方法及びシステム」という名称の本出願人の米国特許出願第１１／２６１，６８７号の一部継続出願である２００６年１２月１日出願の「メディア管理及び追跡」という名称の本出願人の米国特許出願第１１／６０７，１７３号の一部継続出願である２００９年６月３０日出願の「コンテンツプロビジョニング及び収益支出」という名称の本出願人の米国特許出願第１２／４９５，７６６号の一部継続出願である。
【０００２】
本発明は、取得後メディア関連サービスに関する。
【背景技術】
【０００３】
物理的メディアの市場では、一般的に複層的なリリースモデルが存在する。複数の階層は、メディアの出版社により統制され、出版社の配信チャンネルを通じて容易にされる。例えば、書籍出版市場では、従来、２つの階層、すなわち、（ｉ）ハードカバーリリース及び（ｉｉ）ペーパーバックリリースが存在する。出版社により統制された２つの階層に加えて、第３の階層、すなわち、（ｉｉｉ）古本市場が存在する。２００２年にＩｐｓｏｓ「ＢＯＯＫＴＲＥＮＤＳ（登録商標）」により、米国内の古本市場は、大学の教科書を除き、５．３３億ドルの市場であると推定された。その研究によると、大学教科書市場以外は、２０１０年までに１０兆ドルを超えるまで成長すると予想された。現在の予想によれば、古本市場は、実際には、その１０兆ドルの予想を超えてしまっている。出版社は、一般的に、古本市場に対してそれが新刊本市場の販売をカニバライズするように思われたので憤慨し、出版社は、古本価値チェーンに参加しなかった。
【０００４】
デジタルメディアの市場では、出版社は、サイロ型店頭を通じた既存の電子小売業者による販売に向けてデジタル資産を使用許諾している。デジタル資産が販売された時に、電子小売業者は、出版社に印税支払金を支出する。これらの消費者との第２又は第３の階層の機会は存在しない。
【０００５】
従来の自宅所有者の保険は、個人の所持品に対してカバレージを提供するが、多くの場合に、個人の所持品の全てを正確に登録することは困難である。家具及び電気器具のような比較的頻繁に変わらない所持品は、正確に登録するのがより容易である。しかし、メディアコレクションのような頻繁に変わる所持品は、正確に登録するのが困難である。更に、紛失又は盗まれたメディアコレクションの差し替えは、紛失又は盗まれた家具又は電気器具の差し替えよりも個人にとって一般的に遥かに困難である。
【発明の概要】
【発明が解決しようとする課題】
【０００６】
例えば、１０，０００曲の歌、１００点の動画、１５０点の電子ブック、２０点のオーディオブック、３０のコンソールゲーム、及びＰＣ及びモバイルデバイスのための多彩なアプリケーションのデジタルライブラリを蓄積した個人を例えば考えてみる。このライブラリは、物理的ＣＤ、ＤＶＤ、ブルーレイディスク、及びハードドライブを含む様々なメディア上に記憶される。このライブラリは、１０，０００ドルの価値があり、かつ保険目的で有意な資産を表す場合がある。しかし、コレクション内のメディアコンテンツの各ピースを登録し、かつ追加コンテンツが得られる時に絶えず登録を更新することは困難である。
【課題を解決するための手段】
【０００７】
本発明の態様は、広範な取得後サービスに向けて技術インフラストラクチャーを提供することにより、デジタル資産に対して取得後収益を可能にする方法及びシステムに関する。取得後収益は、デジタル資産の初期購入後に消費者から発生された収益を指す。取得後収益は、出版社、電子小売業者、及び消費者間に割り当てられ、かつそれ自体これらの参加者が既に販売されたデジタル資産から付加的な収益を発生させる機会及び動機を表している。
【０００８】
１つのこのような取得後収益機会は、「電子中古資産」と本明細書で呼ぶ使用されたデジタル資産の市場である。本発明の態様は、デジタル資産を中古販売し、かつデジタル資産を貸し出す総合的な電子商取引システムを提供する。
【０００９】
別のこのような取得後収益機会は、消費者がライブラリ又は他の消費者から電子中古資産を借りるためにサービスに登録する中古デジタル資産のための「貸出し市場」である。
【００１０】
例えば、本発明の態様は、電子中古本市場をサポートする機構を提供する。本発明は、ｅブックを中古販売することができる電子ブック（「ｅブック」）の第２の階層を可能にする。第２の階層は、出版社が電子古本市場を制御し、かつｅブックの初期販売後に複数回ｅブックを再び収益化することを可能にする。第２の階層は、出版社が初期販売を行う１つの電子小売業者に限定されるのではなく、複数の電子小売業者にわたってｅブックを市場に出すことも可能にする。本発明は、消費者が、自分が購入したｅブックを複数の電子小売業者にわたって他の消費者に販売することを可能にする。
【００１１】
本発明の実施形態は、デジタル資産の初期購入に向けて、及び電子中古デジタル資産のその後の購入に向けて複数の電子小売業者にわたる複数レジストリのレジストリを提供する。本発明の実施形態は、販売及び中古販売取引を追跡し、かつ異なる売主のクリアリングハウスとして作用する。
【００１２】
別の取得後収益機会は、デジタル資産コレクションのための保険を提供することである。本発明の態様は、メディア在庫を正確に追跡及び鑑定し、かつ紛失又は盗まれたメディアに対して保険金請求を処理する方法及びシステムを提供する。
【００１３】
本発明は、消費者に消費者が有するメディア品目及び権利の正確なレジストリを供給し、かつ消費者が紛失及び窃盗のために消費者のコレクションに保険を掛けることを可能にすることにより、個人のメディアコレクションを蓄積することに実質的なお金に投資する消費者に有利なものである。本発明は、消費者が有するデジタル資産を中古販売し、それによって資産を購入する際に招いた費用一部を取り戻す機構を消費者に供給することにより、消費者に更に有利なものである。本発明は、他の消費者にデジタル資産を貸し借りする機構を消費者に供給することにより、更に消費者に有利なものである。
【００１４】
本発明はまた、自社が正確な鑑定価格で人々の貴重なメディア在庫に保険をかけ、かつ紛失又は盗まれたメディア品目に関する保険金請求を処理することを可能にすることにより、保険会社に有利なものである。
【００１５】
更に、本発明はまた、紛失又は盗まれたメディアコレクションを差し替える簡単な機構を保険プロバイダを提供する。メディアは、紛失又は窃盗の前に有していた同じ物理又は非物理形態で差し替えることができ、すなわち、物理的ＣＤは、物理的ＣＤで差し替えられ、コンピュータメディアファイルは、コンピュータメディアファイルで差し替えられる。
【００１６】
本発明は、出版社が資産が販売された後に付加的な収益をデジタル資産から導出することを可能にする際に出版社に対して有利なものである。この収益は、最初に資産を売ったソースと異なる小売業者を通じた電子中古資産の中古販売を含むいくつかのソースから導出することができる。
【００１７】
本発明は、電子小売業者が資産が販売された後に付加的な収益をデジタル資産から同様に導出することを可能にする際に電子小売業者に有利なものである。
【００１８】
従って、本発明の実施形態により、デジタル資産の中古販売の方法を提供し、本方法は、少なくとも１つの第１のデバイス上での第１の消費者への提示に向けて第１の電子小売業者を通じた第１の消費者によるデジタル資産の購入を登録する段階であって、デジタル資産が出版社により出版され、電子小売業者が、消費者に出版社により出版されたデジタル資産を販売する前記登録する段階と、出版社による中古販売許可命令に応答して、第１の消費者が、複数の電子小売業者を通じて電子中古デジタル資産として中古販売に向けてデジタル資産を提供することを可能にする段階と、（ａ）電子小売業者、又は（ｂ）第２の消費者、又は（ｃ）デジタル資産を売り買いする別のエンティティのいずれかによる電子中古デジタル資産の購入を更に登録する段階とを含む。
【００１９】
更に、本発明の実施形態により、デジタル資産の中古販売のためのシステムを提供し、システムは、（ｉ）各々が消費者に１つ又はそれよりも多くの出版社により出版されたデジタル資産を販売する複数の電子小売業者からの出版社により出版されるデジタル資産の第１の消費者による購入を少なくとも１つの第１のデバイス上での第１の消費者への提示に向けて登録し、（ｉｉ）出版社からの中古販売許可命令に応答して、第１の消費者が、複数の電子小売業者を通じて電子中古デジタル資産として中古販売に向けてデジタル資産を提供することを可能にし、かつ（ｉｉｉ）（ａ）複数の電子小売業者のいずれか１つ、（ｂ）第２の消費者、又は（ｃ）デジタル資産を売り買いする別のエンティティのいずれかによる電子中古デジタル資産としてのデジタル資産の購入を更に登録するために、複数の電子小売業者とインタフェースで接続する登録モジュールを含む。
【００２０】
更に、本発明の実施形態により、デジタル資産を貸し出す方法を更に提供し、本方法は、消費者に出版社により出版されたデジタル資産を販売する電子小売業者からの出版社により出版されるデジタル資産の第１の消費者による購入を少なくとも１つの第１のデバイス上での第１の消費者への提示に向けて登録する段階と、出版社による貸出許可命令に応答して、第１の消費者が貸付期間中の貸し付けに向けてデジタル資産を提供することを可能にする段階と、第２の消費者へのデジタル資産の貸し付けを貸出期間中の少なくとも１つの第２のデバイス上での第２の消費者への提示に向けて更に登録する段階と、少なくとも１つの第１のデバイスが貸出期間の継続時間にわたってデジタル資産を提示するのを阻止する段階と、少なくとも１つの第１のデバイスが貸出期間の終了後にデジタル資産を提示することを再度可能にする段階と、少なくとも１つの第２のデバイスが貸出期間の終了後にデジタル資産を提示するのを阻止する段階とを含む。
【００２１】
本発明の実施形態により、デジタル資産を貸し出すためのシステムを更に別に提供し、システムは、（ｉ）消費者に１つ又はそれよりも多くの出版社により出版されたデジタル資産を販売する電子小売業者からの出版社により出版されるデジタル資産の第１の消費者による購入を少なくとも１つの第１のデバイス上での第１の消費者への提示に向けて登録し、（ｉｉ）出版社からの貸出許可命令に応答して、第１の消費者が貸付期間中の貸し付けに向けてデジタル資産を提供することを可能にし、かつ（ｉｉｉ）貸付期間中の少なくとも１つの第２のデバイス上での第２の消費者への提示に対してデジタル資産の貸し付けを更に登録するための登録モジュールと、（ｉｖ）少なくとも１つの第１のデバイスが貸出期間の継続時間にわたってデジタル資産を提示するのを阻止し、（ｖ）少なくとも１つの第１のデバイスが貸出期間の終了後にデジタル資産を提示することを再度可能にし、かつ（ｖｉ）少なくとも１つの第２のデバイスが貸出期間の終了後にデジタル資産を提示するのを阻止するために登録モジュールに結合した貸付清算モジュールとを含む。
【００２２】
本発明の実施形態により、デジタル資産に対する市価を判断する方法を更に提供し、本方法は、消費者に出版社により出版されたデジタル資産を販売する電子小売業者を通じてデジタル資産を購入し、かつ出版社により指定された価格帯でデジタル資産を販売する許可を出版社から取得したそれぞれ１人又はそれよりも多くの消費者による出版社により出版されたデジタル資産を販売するための１つ又はそれよりも多くの指し値を登録する段階と、デジタル資産を購入するそれぞれ１人又はそれよりも多くの潜在的な買い手による１つ又はそれよりも多くの指し値を登録する段階と、デジタル資産に対する価格を判断するために、販売するための１つ又はそれよりも多くの登録された指し値及び購入するための１つ又はそれよりも多くの登録された指し値を分析する段階と、価格の少なくとも一部分を出版社にかつ価格の一部分を電子小売業者に割り当てる段階とを含む。
【００２３】
本発明の実施形態により、デジタル資産に向けて市価を判断するためのシステムを更に提供し、システムは、消費者に出版社により出版されたデジタル資産を販売する電子小売業者を通じてデジタル資産を購入し、かつそれぞれ１つ又はそれよりも多くの価格でデジタル資産を販売する許可を出版社から取得したそれぞれ１人又はそれよりも多くの消費者による出版社により出版されたデジタル資産を販売するための１つ又はそれよりも多くの指し値を登録し、かつデジタル資産を購入するそれぞれ１人又はそれよりも多くの潜在的な買い手による１つ又はそれよりも多くの指し値を登録する登録モジュールと、デジタル資産に対する価格を判断するために、販売するための１つ又はそれよりも多くの登録された指し値及び購入するための１つ又はそれよりも多くの登録された指し値を分析するために登録モジュールに結合した分析モジュールと、価格の少なくとも一部分を出版社にかつ価格の一部分を電子小売業者に割り当てるために分析モジュールに結合した収益割当器とを含む。
【００２４】
本発明の実施形態により、デジタル資産のための市場を作り出す方法を更に提供し、本方法は、デジタル資産を所有し、かつ出版社により指定された価格帯でデジタル資産を販売する許可を出版社から取得したそれぞれ１人又はそれよりも多くの消費者による出版社により出版されたデジタル資産を販売するための１つ又はそれよりも多くの指し値を登録する段階と、デジタル資産を購入するそれぞれ１人又はそれよりも多くの潜在的な買い手による１つ又はそれよりも多くの指し値を登録する段階と、出版社に割り当てられる売上げ収益の各部分を規定する収益分け前を登録する段階と、売買価格を判断するために、販売するための１つ又はそれよりも多くの登録された指し値、購入するための１つ又はそれよりも多くの登録された指し値、及び登録された収益分け前を分析する段階と、資産を販売する登録された指し値を有する１人又はそれよりも多くの消費者からデジタル資産のコピーを判断された購入価格で購入する段階と、資産を購入する登録された指し値を有する１つ又はそれよりも多くの潜在的な買い手に購入された資産を判断された販売価格で販売する段階と、登録された収益分け前に従って出版社に売上げ収益の一部分を割り当てる段階とを含む。
【００２５】
本発明の実施形態により、デジタル資産のための市場を作り出すためのシステムを更に別に提供し、システムは、（ｉ）デジタル資産を所有し、かつ出版社により指定された価格帯でデジタル資産を販売する許可を出版社から取得したそれぞれ１人又はそれよりも多くの消費者による出版社により出版されたデジタル資産を販売するための１つ又はそれよりも多くの指し値を登録し、（ｉｉ）デジタル資産を購入するそれぞれ１人又はそれよりも多くの潜在的な買い手による１つ又はそれよりも多くの指し値を登録し、かつ（ｉｉｉ）出版社に割り当てられる売上げ収益の各部分を規定する収益分け前を登録するための市場登録器と、売買価格を判断するために、販売するための１つ又はそれよりも多くの登録された指し値、購入するための１つ又はそれよりも多くの登録された指し値、及び登録された収益分け前を分析するための市場分析器と、（ｉ）資産を販売する登録された指し値を有する１人又はそれよりも多くの消費者からデジタル資産のコピーを判断された購入価格で購入し、（ｉｉ）資産を購入する登録された指し値を有する１人又はそれよりも多くの潜在的な買い手に購入された資産を判断された販売価格で販売し、かつ（ｉｉｉ）登録された収益分け前に従って出版社に売上げ収益の一部分を割り当てるための市場取引マネージャとを含む。
【００２６】
本発明の実施形態により、デジタル資産の在庫を鑑定する方法を更に提供し、本方法は、登録されたデジタル資産の在庫内の各デジタル資産及び各デジタル資産に対する登録された権利に対して、デジタル資産を購入することができるコンテンツソースからデジタル資産に対する登録された権利を購入する費用を判断する段階と、判断された費用に基づいて在庫の鑑定価格を導出する段階とを含む。
【００２７】
本発明の実施形態により、デジタル資産の在庫に保険を掛ける方法を更に提供し、本方法は、登録されたデジタル資産の在庫及び各デジタル資産に対する登録された権利を動的に維持する段階と、在庫内の少なくとも１つのデジタル資産に対する保険金請求を受信する段階と、保険金請求内の各デジタル資産に対して、デジタル資産を取得することができるコンテンツソースの位置を識別する段階と、位置を識別されたコンテンツソースからデジタル資産に対する登録された権利を取得する段階とを含む。
【００２８】
本発明の実施形態により、デジタル資産の在庫を鑑定するためのシステムを更に提供し、システムは、登録されたデジタル資産の在庫内の各デジタル資産及び各デジタル資産に対する登録された権利に対して、デジタル資産を購入することができるコンテンツソースからデジタル資産に対する登録された権利を購入する費用を判断し、かつ判断された費用に基づいて在庫の鑑定価格を導出するための在庫鑑定器を含む。
【００２９】
本発明の実施形態により、デジタル資産の在庫に保険を掛けるためのシステムを更に別に提供し、システムは、登録されたデジタル資産の在庫及び各デジタル資産に対する登録された権利に関する情報を動的に維持するための在庫マネージャと、在庫内の少なくとも１つのデジタル資産に対する保険金請求を受信するために在庫マネージャに結合した保険金請求プロセッサと、保険金請求内の各デジタル資産に対して、デジタル資産を取得することができるコンテンツソースの位置を識別するためのコンテンツルータと、保険金請求における各デジタル資産に対して、コンテンツルータにより位置が識別されたコンテンツソースからデジタル資産に対する登録された権利を取得するためにコンテンツルータ及び保険金請求プロセッサに結合した取引マネージャとを含む。
【００３０】
本明細書は、デジタル資産を所有、共有、貸し付け、かつ販売することができる者に対して用語「消費者」を使用する。しかし、用語「消費者」は、制限的であることを意図したものではなく、本発明は、デジタル資産を所有、共有、貸し付け、かつ販売することができる会社及び他のエンティティのような非消費者にも同様に適用されることは理解されるものとする。
【００３１】
本発明は、図面に関連した以下の詳細説明からより完全に理解かつ評価されるであろう。
【図面の簡単な説明】
【００３２】
【図１】本発明の実施形態によるコンテンツプロビジョニング及び収益支出システムの１１個の構成要素の略示ブロック図である。
【図２】本発明の実施形態による消費者名前空間に消費者データをマップする処理の略示流れ図である。
【図３】本発明の実施形態による消費者の名前空間マッピングを示す図である。
【図４】本発明の実施形態によるコンテンツ名前空間にコンテンツデータをマップする処理の略示流れ図である。
【図５】本発明の実施形態による消費者に対してデバイス及びコンテンツを登録する処理の略示流れ図である。
【図６Ａ】本発明の実施形態によりそれぞれＣＤ及び他の物理メディアから由来し、インターネットを通じて及び無線でダウンロードされ、ピアツーピアネットワーク上でダウンロードされ、購読サービスを通じて予約購読され、レコーダデバイス上で記録された音楽、ビデオ、及びｅブックに対して消費者コンテンツ及びサービスを登録するシステムを示す図である。
【図６Ｂ】本発明の実施形態によりそれぞれＣＤ及び他の物理メディアから由来し、インターネットを通じて及び無線でダウンロードされ、ピアツーピアネットワーク上でダウンロードされ、購読サービスを通じて予約購読され、レコーダデバイス上で記録された音楽、ビデオ、及びｅブックに対して消費者コンテンツ及びサービスを登録するシステムを示す図である。
【図６Ｃ】本発明の実施形態によりそれぞれＣＤ及び他の物理メディアから由来し、インターネットを通じて及び無線でダウンロードされ、ピアツーピアネットワーク上でダウンロードされ、購読サービスを通じて予約購読され、レコーダデバイス上で記録された音楽、ビデオ、及びｅブックに対して消費者コンテンツ及びサービスを登録するシステムを示す図である。
【図７Ａ】本発明の実施形態によりそれぞれ家庭の音楽、ビデオ、及びｅブックのレジストリを示す図である。
【図７Ｂ】本発明の実施形態によりそれぞれ家庭の音楽、ビデオ、及びｅブックのレジストリを示す図である。
【図７Ｃ】本発明の実施形態によりそれぞれ家庭の音楽、ビデオ、及びｅブックのレジストリを示す図である。
【図８】本発明の実施形態によるコンテンツ経路指定及びメディア再生の処理の略示流れ図である。
【図９】本発明の実施形態による多くのコンテンツプロバイダからの多くのプレーヤデバイスへの音楽及び映像コンテンツ経路指定を示す図である。
【図１０】本発明の実施形態による消費者の在庫、プレーヤデバイス上の在庫の検索及び表示、及びプレーヤデバイス上のメディアの再生を登録する処理の略示流れ図である。
【図１１】本発明の実施形態によるメディアに対する消費者権利を検証してこの権利を執行する処理の略示流れ図である。
【図１２】本発明の実施形態によるコンテンツプロビジョニング及び購読収益支出システムの略示ブロック図である。
【図１３Ａ】本発明の実施形態によるコンテンツ所有者、コンテンツ配信業者、サービスプロバイダ、及び登録者間の購読収益の分配を示す図である。
【図１３Ｂ】本発明の実施形態により複数のコンテンツ所有者間でコンテンツ所有者に図１３Ａにおいて割り当てられた分配を配分する会計報告書の図である。
【図１４】本発明の実施形態によりコンテンツ使用許諾サービス内に統合されたコンテンツ購入及びサプライチェーン内の売主の要約図である。
【図１５】本発明の実施形態によるデジタル資産レジストリ、経路指定及び追跡システム１５００の３層アーキテクチャの略示高レベルアーキテクチャ図である。
【図１６】本発明の実施形態による図１５のシステムのウェブサービス層の略示アーキテクチャ図である。
【図１７】本発明の実施形態による図１５のシステムのエンジン及びデータベース層の略示アーキテクチャ図である。
【図１８】本発明の実施形態による図１５のシステムのバックエンドノードの略示アーキテクチャ図である。
【図１９】本発明の実施形態によるメディア在庫を鑑定するためのシステムの略示ブロック図である。
【図２０】本発明の実施形態によるメディア在庫に保険を掛けるためのシステムの略示ブロック図である。
【図２１】本発明の実施形態によるメディア在庫を鑑定する方法の略示流れ図である。
【図２２】本発明の実施形態によるメディア在庫に保険を掛ける方法の略示流れ図である。
【図２３Ａ】物理的な本の従来技術のリリースモデルのリリース時系列の図である。
【図２３Ｂ】ｅブックの従来技術のリリースモデルのリリース時系列の図である。
【図２３Ｃ】本発明の実施形態によるｅブックのリリース時系列の図である。
【図２４】本発明の実施形態によるデジタル資産の中古販売のためのシステムの略示ブロック図である。
【図２５】本発明の実施形態によるデジタル資産の中古販売の方法の略示流れ図である。
【図２６】本発明の実施形態によるデジタル資産を貸し出すためのシステムの略示ブロック図である。
【図２７】本発明の実施形態によるデジタル資産を貸し出す方法の略示流れ図である。
【図２８Ａ】本発明の実施形態によるｅブック貸出クラブの略示図である。
【図２８Ｂ】本発明の実施形態によるｅブック貸出クラブの略示図である。
【図２９】本発明の実施形態によるデジタル資産に対する市価を判断するためのシステムの略示ブロック図である。
【図３０】本発明の実施形態によるデジタル資産に対する市価を判断する方法の略示流れ図である。
【図３１】本発明の実施形態によるデジタル資産の市場を作り出す方法の略示流れ図である。
【図３２】本発明の実施形態によるデジタル資産の市場を作り出すためのシステムの略示ブロック図である。
【発明を実施するための形態】
【００３３】
以下の定義は、本明細書を通して使用される。
コンテンツ／デジタル資産−取りわけ、音楽、ビデオ、ｅブック、オーディオブック、ゲーム、及びソフトウエアアプリケーションを含むデジタルメディア。
コンテンツマッピング−コンテンツの指定されたピースに対してかつ指定されたコンテンツメディアフォーマットに対してコンテンツの指定されたピースを一意的に識別する１つ又はそれよりも多くのＩＤを判断すること。
コンテンツ経路指定−プレーヤデバイスに指定されたコンテンツを伝達する適切なソースを判断すること。
メディアサーバ−メディアをアーカイブして使えるように設定するコンピュータサーバ。
名前空間−取りわけメディアコンテンツ、プレーヤデバイス、消費者、及び家庭とすることができる品目に一意的に関連付けられた識別子の範囲。
プレーヤデバイス−取りわけ家庭用娯楽システム、携帯電話、携帯式メディアプレーヤ、ＰＣアプリケーションのようなソフトウエアアプリケーション、及び自動車デッキを含むメディアプレーヤ。
レジストリ−ユーザの在庫が列挙される中心データストア。
追跡サーバ−取りわけ再生及び購入を含むコンテンツ関連イベントを追跡するコンピュータサーバ。
【００３４】
本発明の実施形態は、デジタル資産の登録、追跡、権利管理、販売、中古販売、貸し出し、及び鑑定の方法及びシステムを提供する。
【００３５】
本発明の実施形態によるコンテンツ管理、追跡、及び収益支出システム１００の構成要素の略示ブロック図である図１を参照する。図１に示す構成要素は、一般的に１つ又はそれよりも多くのサーバコンピュータに実施される。各構成要素の作動を本明細書で以下に詳細に説明する。参照しやすいように、図と図が関連する図１の構成要素とを次表に要約する。
【００３６】
（表Ｉ）
2014507733.tif 000003
【００３７】
名前空間マッパ１１０
図１には、名前空間マッパ１１０が示されている。「名前空間」は、取りわけ、デジタル資産、プレーヤデバイス、消費者、及び家庭とすることができる品目に一意的に関連付けられた識別子の範囲である。一般的に、複数のソースから得られたデータは、同じ命名規則を忠実に遵守しない場合があり、更に一貫していない場合がある。「名前空間マッピング」は、指定された品目に対して、指定された品目を一意的に識別する１つ又はそれよりも多くのＩＤを判断する。
【００３８】
本発明の実施形態により、名前空間マッパ１１０は、取りわけメディアコンテンツに関する情報、プレーヤデバイスに関する情報、消費者に関する情報、及びコンテンツ購入及びサプライチェーン内の会社及び他の利害関係者に関する情報を含め複数のデータソースからの情報を集約する。複数のソースから得られる情報を明確にするために、名前空間マッパ１１０は、複数のソースからデータ要素を一意的に識別して集中レジストリ内で正しく関連付ける。
【００３９】
名前空間マッパ１１０は、コンテンツの参照データストアにコンテンツをマップすることによってコンテンツデータを正規化する。従って、異なりかつ一部の場合に誤ったメタデータと共に複数のソースから受信したコンテンツは、一貫したかつ正しいメタデータとして割り当てられる。
【００４０】
名前空間マッパ１１０は、２つ又はそれよりも多くのソースから得られた情報を比較して情報が同じエンティティを指すか否かを判断するために名前空間マッピングを実行する。例えば、消費者Ｊｏｈｎ  Ｗ．Ｓｍｉｔｈは、携帯電話会社データベースにおける取りわけ名称、住所、及び携帯電話番号を含む属性により識別することができる。ジョンは、ＣＤをベスト・バイから購入し、ベスト・バイの報酬プログラムの会員であるので、購入情報は、ベスト・バイのデータベース内に記録される。しかし、ベスト・バイデータベースでは、ジョンの名称は、ミドルネームの頭文字なしで「Ｊｏｈｎ  Ｓｍｉｔｈ」と説明され、住所は、携帯電話会社データベース内の住所と異なっている。従って、２つのデータソースによって供給される消費者属性が比較された時に、名前空間マッパ１１０は、以下のように見出す。
名称−名称は、必ずしも整合しない：Ｊｏｈｎ  Ｗ．  Ｓｍｉｔｈ対Ｊｏｈｎ  Ｓｍｉｔｈ、
住所−住所は、整合しない、かつ
携帯電話番号−電話は、整合する。
【００４１】
名前空間マッパ１１０は、各属性（名称、住所、携帯電話番号）に重みを割り当てて、２組の属性が同じ人に対応するか否かを判断するために重みに従って整合の程度を組み合わせる。携帯電話番号は一般的に個人固有であるので、この属性には高い重みが割り当てられ、住所は個人固有では場合があるので、この属性には低い重みが割り当てられる。従って、２つの名称の類似性に基づいて、矛盾した住所かつ同一携帯電話番号で、名前空間マッパ１１０は、２組の属性が実は同じ人に確かに対応すると結論を下す。従って、ベスト・バイでジョンにより購入されたＣＤは、本明細書で以下に説明するように、Ｊｏｈｎ  Ｗ．  Ｓｍｉｔｈの得られたコンテンツに登録される。
【００４２】
本発明の実施形態による名前空間マッパ１１０によって実行されるように消費者名前空間に消費者データをマップする処理の略示流れ図である図２を参照する。図２の流れ図は、２つの欄に分割される。左の欄は、データソースによって実行されるステップを示し、右の欄は、名前空間マッパ１１０のような名前空間マッパによって実行されるステップを示している。
【００４３】
ステップ２１０で、携帯電話会社は、システム１００に消費者情報を提供する。図２に示す例は、以前のＪｏｈｎ  Ｓｍｉｔｈの例に関する。携帯電話会社の情報は、「Ｊｏｈｎ  Ｗ．  Ｓｍｉｔｈ」と書かれた名称、住所「１  Ｅｌｍ  Ｓｔｒｅｅｔ，Ａｎｙｗｈｅｒｅ，ＯＫ」及び電話番号「２１２−５５５−１２３４」を含む。ステップ２２０で、名前空間マッパは、この顧客がシステム１００に既知であるか否かを検査する。知られていない場合に、名前空間マッパは、データストア内の新しい顧客記録として顧客データを記憶する。
【００４４】
ステップ２３０で、ベスト・バイのような小売業者は、システム１００に消費者情報を提供する。消費者情報は、消費者の名称の綴り及び住所がステップ２１０で携帯電話会社によって供給された情報と異なっている。ステップ２４０で、名前空間マッパは、この顧客がシステム１００に既知であるか否かを検査して、データストアに記憶された情報と消費者情報を比較する。ステップ２５０で、上述したような名称及び電話番号内の類似点に基づいて、名前空間マッパは、小売業者の顧客情報が携帯電話会社の顧客情報に対応すると結論を下す。従って、名前空間マッパは、データストアに新しい顧客記録を追加しないが、代わりに、既存の記録に小売業者の顧客情報を携帯電話会社の顧客情報でマップする。
【００４５】
本発明の実施形態による消費者の名前空間マッピングを示す図である図３を参照する。図３では、４つの情報源、すなわち、携帯電話会社データベース、ベスト・バイ懸賞金プログラムデータベース、オンラインストアデータベース、及び消費者ホームコンピュータファイルディレクトリから到着する消費者Ｊｏｎａｔｈａｎ  Ｓａｍｕｅｌｓに関する情報が示されている。携帯電話会社データベースは、名称、住所、及び携帯電話番号のようなＪｏｎａｔｈａｎ  Ｓａｍｕｅｌｓに関する識別情報を提供する。ベスト・バイデータベースは、Ｊｏｎａｔｈａｎ  Ｓａｍｕｅｌｓがベスト・バイ販売業者で購入するコンテンツに関する識別情報を提供する。オンラインストアデータベースは、Ｊｏｎａｔｈａｎ  Ｓａｍｕｅｌｓがオンラインで購入するコンテンツに関する情報を提供する。ホームコンピュータファイルディレクトリは、Ｊｏｎａｔｈａｎ  Ｓａｍｕｅｌｓがホームコンピュータで記憶したコンテンツに関する情報を提供する。本発明の実施形態により、４つのソースは、Ｊｏｎａｔｈａｎ  Ｓａｍｕｅｌｓのコンテンツの全てを登録するように統合される。
【００４６】
本発明の実施形態による名前空間マッパ１１０によって実行されるようにコンテンツ名前空間にコンテンツデータをマップする処理の略示流れ図である図４を参照する。図４の流れ図は、２つの欄に分割される。左の欄は、データソースによって実行されるステップを示し、右の欄は、名前空間マッパ１１０のような名前空間マッパによって実行されるステップを示している。
【００４７】
ステップ４１０で、第１のデータソース、例えば、メタデータアグリゲータは、メディアコンテンツに関する情報を提供する。図４に示す例では、情報は、歌「Ｗｏｏｄｅｎ  Ｓｈｉｐｓ」、アーティスト「Ｃｒｏｓｂｙ  Ｓｔｉｌｌｓ  ａｎｄ  Ｎａｓｈ」、及びアルバム「Ｓｏ  Ｆａｒ」を含む。ステップ４２０で、名前空間マッパは、メディア情報がデータストアに記憶されたか否かを検査する。手元のこの場合に対しては、データストアは、歌「Ｗｏｏｄｅｎ  Ｓｈｉｐｓ」、アーティスト「Ｃｒｏｓｂｙ、Ｓｔｉｌｌｓ、Ｎａｓｈ、ａｎｄ、Ｙｏｕｎｇ」、及びアルバム「Ｓｏ  Ｆａｒ」を有する既存の記録を有する。情報内の類似点に基づいて、名前空間マッパは、コンテンツがデータストアにある類似のコンテンツに適合すると結論を下し、メタデータアグリゲータから受信したコンテンツ情報がデータストア内の既存の記録に対応すると識別する。
【００４８】
同様に、ステップ４３０で、第２のデータソース、例えば、オンラインＮａｐｓｔｅｒ（登録商標）コンテンツソースは、メディアコンテンツに関する情報を提供する。情報は、ステップ４１０で、アーティスト名は「Ｃｒｏｓｂｙ、Ｓｔｉｌｌｓ、Ｎａｓｈ、＆  Ｙｏｕｎｇ」であり、かつデータストア内の既存の記録と異なるという点において、アーティストは「Ｃｒｏｓｂｙ、Ｓｔｉｌｌｓ、Ｎａｓｈ、ａｎｄ  Ｙｏｕｎｇ」と句点がつけられているという点において、メタデータアグリゲータによって供給された情報と異なっている。ステップ４４０で、名前空間マッパは、コンテンツがデータストアにある類似のコンテンツに適合すると結論を下し、Ｎａｐｓｔｅｒから受信したコンテンツ情報がデータストア内の既存の記録に対応すると識別する。ステップ４５０で、名前空間マッパは、メタデータアグリゲータから受信したコンテンツ情報もＮａｐｓｔｅｒから受信したコンテンツ情報もデータストア内の同じ既存の記録にマップしている。
【００４９】
本発明の一実施形態において、名前空間マッパは、データプロバイダから一意的に識別するデータを受信し、マッピング処理は、簡単である。本発明の一実施形態において、名前空間マッパは、出版社からｅブック情報を受信し、ｅブックは、ＩＳＢＮのような全世界にわたって固有の識別子により識別される。
【００５０】
登録器１２０
図１には、登録器１２０が示されており、登録器１２０は、中心データストアに消費者のデジタル資産、コンテンツサービス、及びデバイスを登録する。登録された各資産に対して、登録器１２０は、取りわけ、資産のデジタル権利管理データを含む資産ステータスを生成する。
【００５１】
登録器１２０は、消費者に対して、取りわけ、メディアストアのような第三者により登録器１２０に伝達されたメディアを登録する。更に、登録器１２０は、消費者に対して、取りわけ、コンテンツ購読サービスのような第三者から購入されたメディア購読及びメディアサービスを登録する。更に、登録器１２０は、消費者により所有されたプレーヤデバイスを登録する。
【００５２】
本発明の実施形態による登録器１２０によって実行されるような消費者に対してデバイス及びコンテンツを登録する処理の略示流れ図である図５を参照する。図５の流れ図は、２つの欄に分割される。左の欄は、第三者によって実行されるステップを示し、右の欄は、登録器１２０のような登録器によって実行されるステップを示している。更に、ステップ５０５〜５３０は消費者デバイスの登録に関し、ステップ５３５〜５５０は、消費者コンテンツの登録に関する。
【００５３】
ステップ５０５で、セルラーオペレータは、消費者及び彼の受話器に関する情報を提供する。ステップ５１０で、登録器は、図３を参照して本明細書で上述したように、データストアに消費者情報をマップするために名前空間マッパ１１０を呼び出す。ステップ５１５で、登録器は、受話器デバイスを消費者により所有されたと登録する。
【００５４】
ステップ５２０で、ケーブルテレビ事業者は、消費者及びセットトップボックスに関する情報を提供する。ステップ５２５で、登録器は、図２を参照して本明細書で上述したように、データストアに消費者情報をマップするために名前空間マッパ１１０を呼び出す。ステップ５３０で、登録器は、セットトップボックスデバイスを消費者により所有されたと登録する。
【００５５】
ステップ５３５で、メディア小売業者は、登録器に小売メディア販売のための消費者及びメディアデータを送る。ステップ５４０で、登録器は、図２を参照して本明細書で上述したように、データストアに消費者情報をマップするために名前空間マッパ１１０を呼び出す。ステップ５４５で、登録器は、図４を参照して本明細書で上述したように、データストアにメディア情報をマップするために名前空間マッパ１１０を呼び出す。ステップ５５０で、登録器は、メディアを消費者により所有されたと登録する。
【００５６】
本発明の実施形態によりそれぞれＣＤ及び他の物理メディアから由来し、インターネットを通じて及び無線でダウンロードされ、ピアツーピアネットワーク上でダウンロードされ、購読サービスを通じて予約購読され、及びレコーダデバイス上で記録された音楽、ビデオ、及びｅブックに対して消費者コンテンツ及びサービスを登録するシステムを示す図である図６Ａ、図６Ｂ、及び図６Ｃを参照する。
【００５７】
消費者は、複数の消費者名称、携帯電話ＩＤ、ＰＣ  ＩＤ、ｅブック読取器ＩＤ、及び他のプレーヤデバイスＩＤを含む自分の家庭全体を登録することができる。それぞれ、本発明の実施形態による家庭の音楽、ビデオ、及びｅブックのレジストリを示す図である図７Ａ、図７Ｂ、及び図７Ｃを参照する。音楽に対して、図７Ａは、Ｓａｍｕｅｌ一家の家庭のレジストリへのＳａｍｕｅｌ一家の歌、ＣＤ、及びプレイリストの登録を示している。ビデオに対して、図７Ｂは、自分の家庭のレジストリへのＳａｍｕｅｌ一家のＤＶＤ、ＤｉｒｅｃＴＶデジタルビデオ記録（ＤＶＲ）、及びケーブル及び衛星購読の登録を示している。ｅブックに対して、図７Ｃは、様々なｅブック小売業者から購入されたＳａｍｕｅｌ一家のｅブックの登録を示している。
【００５８】
本明細書に説明するように、消費者、コンテンツ、及び他のデータを登録するエンティティは、それ自体、このようなデータのレジストリとすることができる。従って、本発明の実施形態は、「複数レジストリのレジストリ」を提供する。複数レジストリのレジストリとして作用する機能は、この機能がなければこのような機会を持たない異なるレジストリを維持する様々なエンティティ間の収益化の機会を可能にすることが当業者により認められるであろう。
【００５９】
コンテンツルータ１３０
図１には、コンテンツルータ１３０が示されている。「コンテンツ経路指定」は、指定されたコンテンツをプレーヤデバイスに伝達する適切なソースを判断することを指す。コンテンツルータ１３０は、取りわけ（Ｉ）名前空間マッパ１１０を使用して標準的な名前空間に以前にマップされていた場合があるメディアメタデータ、（ｉｉ）コンテンツソースが供給することができる配信ビットレート、（ｉｉｉ）コンテンツソースが供給することができるメディアフォーマット又はコーデック、（ｉｖ）コンテンツソースが供給することができるメディアコンテナフォーマット、（ｖ）コンテンツソースが供給することができるＤＲＭタイプ、及び（ｖｉ）コンテンツソースが対応する地理上の領域を含むコンテンツソースとソースによって供給されたコンテンツに関する情報とのデータストアを維持する。
【００６０】
メディアの再生又は配信が要求された時に、コンテンツルータ１３０は、再生又は配信要件に対して及び再生デバイス機能に対してデータストア内のデータを動的に評価し、かつこの特定のインスタンスに向けてコンテンツの最も適切なソースを選択する。
【００６１】
本発明の実施形態において、メディアの再生は、プレーヤデバイス上でローカルに記憶されたコンテンツのコピーから行われる。このようなローカルコピーは、本発明とは独立してユーザによってプレーヤデバイス上に記憶される場合があり、又は計数器ルータ１３０により識別されたコンテンツのソースからの以前の再生中にプレーヤデバイス上でキャッシュに入れられる場合がある。
【００６２】
本発明の実施形態によるコンテンツルータ１３０によって実行されるようなコンテンツ経路指定及びメディア再生の処理の略示流れ図である図８を参照する。図８の流れ図は、４つの欄を含む。一番左の欄は、メディアプレーヤのような消費者デバイスによって実行されるステップを示し、左からの第２の欄は、在庫マネージャ１４０のような在庫マネージャによって実行されるステップを示し、右からの第２の欄は、コンテンツルータ１３０のようなコンテンツルータによって実行されるステップを示し、一番右の欄は、コンテンツ配信業者によって実行されるステップを示している。
【００６３】
ステップ８０５で、デバイスは再生に向けてメディアコンテンツを要求する。ステップ８１０で、在庫マネージャは、要求を検証するために、権利マネージャ１６０のような権利マネージャを呼び出す。権利マネージャが再探索を検証した場合に、ステップ８１５で、在庫マネージャは、コンテンツルータに、要求されたコンテンツを取得するコンテンツルートをもたらすように要求する。ステップ８２０で、コンテンツルータは、取りわけ、コンテンツフォーマット、伝送ビットレート、コンテンツコンテナ、伝送プロトコル、及びコンテンツデジタル権利管理（ＤＲＭ）を含む複数のパラメータに基づいて、要求側デバイスに要求されたコンテンツを供給する適切なコンテンツ配信業者を判断する。
【００６４】
ステップ８２５で、コンテンツルータは、ステップ８２０で判断されたような要求されたコンテンツに対する操作機能を適切な配信業者に要求する。ステップ８３０で、コンテンツ配信業者は、コンテンツ操作機能を生成し、ステップ８３５で、コンテンツ配信業者は、コンテンツルータにコンテンツ操作機能を戻す。ステップ８４０で、コンテンツルータは、在庫マネージャにコンテンツ操作機能を転送し、ステップ８４５で、在庫マネージャは、デバイスにコンテンツ操作機能を供給する。
【００６５】
ステップ８５０で、デバイスは、コンテンツ操作機能を使用して、コンテンツをコンテンツ配信業者に要求する。ステップ８５５で、コンテンツ配信業者は、デバイスにコンテンツを配信する。最後に、ステップ８６０で、デバイスは、コンテンツ配信業者から、ステップ８０５で最初に要求されるコンテンツを受信し、受信したコンテンツを再生する。
【００６６】
本発明の実施形態による多くのコンテンツプロバイダからの多くのプレーヤデバイスへの音楽、ビデオ、及びビデオｅブック経路指定を示す図である図９を参照する。図９に示すように、異なるプレーヤデバイスが、異なるコンテンツフォーマットを必要とする場合があり、かつ異なるデジタル権利管理技術を必要とする場合がある。
【００６７】
在庫マネージャ１４０
図１には、在庫マネージャ１４０が示されており、在庫マネージャ１４０は、取りわけ、音楽、ビデオ、プレイリスト、ｅブック、ポッドキャスト、及びコンテンツ購読を含む消費者のメディア在庫に関する情報を維持する。在庫マネージャ１４０は、消費者によって要求された時に、消費者のプレーヤデバイスに消費者の在庫を供給する。
【００６８】
本発明の実施形態による在庫マネージャ１４０によって実行されるような消費者の在庫、プレーヤデバイス上の在庫の検索及び表示、及びプレーヤデバイス上のメディアの再生を登録する処理の略示流れ図である図１０を参照する。図１０の流れ図は、３つの欄に分割される。左の欄は、携帯電話のような例示的な消費者デバイスによって実行されるステップを示し、真中の欄は、登録器１２０のような登録器によって実行されるステップを示し、右の欄は、在庫マネージャ１４０のような在庫マネージャによって実行されるステップを示している。
【００６９】
ステップ１００５及び１０１０で、図５を参照して本明細書で上述したように携帯電話を登録器に登録する。
【００７０】
ステップ１０１５で、携帯電話は、消費者に登録されたメディアの在庫概要を在庫マネージャに要求する。ステップ１０２０で、在庫マネージャは、消費者のアカウントを検証するために、権利マネージャ１６０のような権利マネージャを呼び出す。権利マネージャが消費者のアカウントを検証した場合に、ステップ１０２５で、在庫マネージャは、データストアから消費者の在庫要約情報を検索する。ステップ１０３０で、在庫マネージャは、携帯電話にユーザの在庫要約情報を戻す。
【００７１】
ステップ１０３５で、携帯電話は、消費者に在庫要約情報を表示する。ステップ１０４０で、消費者は、再生すべきメディアを在庫要約情報内に説明されたメディアから選択する。ステップ１０４５で、在庫マネージャは、選択されたメディアに対する消費者の権利を検証するために権利マネージャを呼び出す。権利マネージャがメディアを検証した場合に、ステップ１０５０で、在庫マネージャは、図８を参照して本明細書で上述したように、プレーヤデバイスにメディアを供給するためにコンテンツルータを呼び出す。最後に、ステップ１０５５で、携帯電話は、ステップ１０４０で要求されたメディアを再生する。
【００７２】
消費者メディア在庫をプレーヤデバイス上でキャッシュに入れることができ、在庫マネージャ１４０がインスタンス毎にそれを供給する必要性が取り除かれる。在庫がプレーヤデバイス上でキャッシュに入れられた時に、在庫マネージャ１４０は、キャッシュに入れられた在庫及び消費者在庫の現状に関するバージョン情報を維持する。それによって在庫マネージャは、プレーヤデバイスがキャッシュに入れられた在庫を更新することができるようにプレーヤデバイスに消費者の在庫の更新された図を供給することができる。
【００７３】
コンテンツ追跡器１５０
図１には、コンテンツ追跡器１５０が示されており、コンテンツ追跡器１５０は、消費者によるデジタル資産の取得、再生及び表示及び資産の所有の変化を追跡する。
【００７４】
コンテンツ追跡器１５０は、データストアにおいて、消費者のために資産取得イベントを追跡する取得ログを維持する。取得ログに記憶されるデータには、取りわけ、消費者のアイデンティティ、資産のアイデンティティ、資産を供給したコンテンツストア又は他のサービスのアイデンティティ、及び取得の日付及び時間がある。得られた資産は、取得する消費者により所有することができ、又は別の消費者により消費者と共有される場合があり、又は別の消費者により消費者に貸し付けられる場合がある。
【００７５】
更に、コンテンツ追跡器１５０は、データストアにおいて、消費者のためにコンテンツ再生イベントを追跡する再生ログを維持する。再生ログに記憶されるデータには、取りわけ、消費者のアイデンティティ、コンテンツのアイデンティティ、コンテンツが再生されたデバイスのアイデンティティ、コンテンツが再生された時間の長さ、及び再生の日付及び時間がある。
【００７６】
更に、コンテンツ追跡器１５０は、データストアにおいて、消費者間のデジタル資産の分配を追跡する共有ログを維持する。共有ログに記憶されるデータには、取りわけ、共有する消費者のアイデンティティ、分配を受け取る消費者のアイデンティティ、及び分配されたデジタル資産のアイデンティティがある。
【００７７】
更に、コンテンツ追跡器１５０は、データストアにおいて、消費者間のデジタル資産の貸し付けを追跡する貸出ログを維持する。貸出ログに記憶されるデータには、取りわけ、貸出している消費者のアイデンティティ、貸し付けを受ける消費者のアイデンティティ、及び貸し付けられているデジタル資産のアイデンティティがある。
【００７８】
本発明の実施形態により、コンテンツ追跡器１５０は、コンテンツの貸し出しを追跡して、貸し付けられたコンテンツ品目がその後購入される時を追跡する。
【００７９】
コンテンツ追跡器１５０はまた、購入になるコンテンツ品目の複数の貸し付けがある場合は貸し付けをその後の購入に関連付ける。例えば、消費者Ａが消費者Ｂにコンテンツ品目を貸し出し、消費者Ｂが消費者Ｃに同じコンテンツ品目を貸し出し、かつ消費者Ｃがその後品目を購入した場合に、コンテンツ追跡器１５０は、消費者Ｃの購入を消費者Ａの最初の貸し付けに関連付ける。
【００８０】
更に、コンテンツ追跡器１５０は、データストアにおいて、消費者間のデジタル資産の中古販売を追跡する中古販売ログを維持する。貸出ログに記憶されるデータには、取りわけ、販売消費者のアイデンティティ、購入消費者又は他の購入エンティティのアイデンティティ、販売を容易にした電子小売業者（いる場合）のアイデンティティ、及び販売されるデジタル資産のアイデンティティがある。
【００８１】
本発明の実施形態により、コンテンツ追跡器１５０は、コンテンツの共有を追跡して、共有されたコンテンツ品目がその後購入される時を追跡する。
【００８２】
消費者は、システム１００に、自分に登録されたコンテンツ品目が別の消費者と共有されるように要求することができる。登録器１２０は、受取り側に対してコンテンツを登録し、受取り側がコンテンツに対して試しライセンスを有することを示している。コンテンツ追跡器１５０は、共有物を共有ログに記録する。
【００８３】
コンテンツの受取り側の試しライセンスが満了した時に、受取り側にコンテンツを購入する指し値を出すことができる。このような購入により、達成された場合に、登録器１２０は、受取り側により所有されたとコンテンツを登録し、コンテンツ追跡器１５０は、購入イベントを記録して、共有物をその後の購入に関連付ける。
【００８４】
コンテンツ追跡器１５０はまた、購入になるコンテンツ品目の複数の共有物がある場合は共有物をその後の購入に関連付ける。例えば、消費者Ａがコンテンツ品目を消費者Ｂと共有し、消費者Ｂが同じコンテンツ品目を消費者Ｃと共有し、かつ消費者Ｃがその後品目を購入した場合に、コンテンツ追跡器１５０は、消費者Ｃの購入を消費者Ａの最初の共有物に関連付ける。
【００８５】
コンテンツ追跡器１５０は、コンテンツの超流通を容易にすることが当業者により認められるであろう。
【００８６】
本発明は、収益の分配を目的として又は使用履歴記録を目的として使用追跡への適用を有する。本発明は、コンテンツに対して以下の情報を追跡するのに有利なものである。
（ａ）記録された場合に、いつ記録されたか及びどのプロバイダから、
（ｂ）直接に購入された場合に、購入の実行者、
（ｃ）購入された場合に、購入されたコンテンツに関連し、かつ購入を行う消費者の意思決定に寄与したと考えられる他のコンテンツ（もしあれば）、
（ｄ）共有された場合に、最初にコピーを有していた消費者、最初の実行者、及び消費者の共有チェーン、
（ｅ）貸し付けられた場合に、コピーを貸し付けた消費者、最初の実行者、及び消費者の貸付チェーン、
（ｆ）現在の所有者のための再生情報、再生されたのが所有者のレコーダデバイス上か、又は所有者のプレーヤデバイス上か、又は他のデバイス上か、及び
（ｇ）試しバージョンからグレードアップされた場合に、最初の所有者による最初の購入の実行者及び試しバージョンからの購入の実行者。
【００８７】
権利マネージャ１６０
図１には、権利マネージャ１６０が示されており、権利マネージャ１６０は、デジタル権利管理を執行する。
【００８８】
権利マネージャ１６０は、消費者アカウントのデータストアを維持する。消費者がシステム１００にアクセスすることを試みた時に、権利マネージャ１６０は、消費者のアカウントがシステムにアクセスする権利を有するか否かを確認するためにデータストアを調べて、相応にアクセスを承諾又は拒否する。
【００８９】
更に、権利マネージャ１６０は、所定のデジタル資産にアクセスする消費者の権利のデータストアを利用する。
【００９０】
権利マネージャ１６０は、所定のコンテンツ品目への消費者の完全なアクセスを容認する場合があり、アクセスを拒否する場合があり、かつ限定的にアクセスさせる場合がある。限定的なアクセスには、取りわけ、特定の期間にわたって、特定の日付範囲中に、限られた数の再生に向けて、又は特定の地理学上の位置においてコンテンツにアクセスする権利がある。限定的なアクセスを使用して、試しコンテンツをサポートすることができる。
【００９１】
ユーザが指定されたプレーヤデバイス上でコンテンツの指定されたピースを再生又は表示するように要求した時に、要求は、権利マネージャ１６０に伝達され、権利マネージャ１６０は、ユーザが要求されたコンテンツに対する現在有効なライセンスを有することを確認する。ユーザが要求されたコンテンツに対する現在有効なライセンスを持たない場合に、再生要求が拒否される。本発明の一実施形態において、ユーザが要求されたコンテンツに対してもはや有効でない限定的なライセンスを有していた場合に、システム１００は、ユーザが有効なライセンスを購入することを可能にする。
【００９２】
権利マネージャ１６０は、取りわけメディアストア又はメディア購読サービスのような第三者からコンテンツの指定された品目に対する消費者の権利に関する情報を取得することができる。消費者がコンテンツ又はコンテンツ購読を店から購入した時に、店は、登録器１２０に、消費者、購入、及び指定されたユーザ及び指定されたコンテンツに適用可能な使用規則に関する情報を伝達することができる。登録器１２０は、それらが権利マネージャ１６０により執行される結果をデータストアに記憶する。
【００９３】
本発明の実施形態による権利マネージャ１６０によって実行されるようなメディアに対する消費者権利を検証してこの権利を執行する処理の略示流れ図である図１１を参照する。図１１の流れ図は、３つの欄に分割される。左の欄は、消費者のプレーヤデバイスによって実行されるステップを示し、真中の欄は、在庫マネージャ１４０のような在庫マネージャによって実行されるステップを示し、右の欄は、権利マネージャ１６０のような権利マネージャによって実行されるステップを示している。
【００９４】
ステップ１１０５で、プレーヤデバイスは、在庫の概要を在庫マネージャに要求する。ステップ１１１０で、在庫マネージャは、権利マネージャに消費者のアカウントを検証するように要求する。ステップ１１１５で、権利マネージャは、消費者アカウントデータストアを調べることによって消費者アカウントのステータスを検証する。消費者のアカウントが有効な場合に、ステップ１１２０で、権利マネージャは、在庫マネージャにアカウント承認を戻す。ステップ１１２５で、在庫マネージャは、図１０を参照して本明細書で上述したように、消費者の在庫情報を検索してプレーヤデバイスに送る。
【００９５】
ステップ１１３０で、プレーヤデバイスは、消費者に当人の大まかな在庫情報を表示する。ステップ１１３５で、プレーヤデバイスは、在庫マネージャから、再生に向けて在庫のメディアを要求する。ステップ１１４０で、在庫マネージャは、権利マネージャに要求されたメディアに対する消費者の権利を検証するように要求する。ステップ１１４５で、権利マネージャは、メディア在庫及び権利データストアを調べることにより、消費者の権利を検証する。権利マネージャが要求されたメディアに対する消費者の権利を検証した場合に、ステップ１１５０で、権利マネージャは、在庫マネージャにメディア承認を戻す。ステップ１１５５で、図８を参照して本明細書で上述したように、在庫マネージャは、コンテンツルータ１３０からメディアに至るルートを要求する。
【００９６】
更に、権利マネージャ１６０は、消費者に対して登録されたデジタル資産を中古販売する消費者の権利のデータストアを使用する。
【００９７】
権利マネージャ１６０は、取りわけ資産の出版社から又は消費者に資産を売った電子小売業者から、資産を中古販売する権利に関する情報を取得することができる。
【００９８】
中古販売権利は、（ｉ）特定のｅブック表題のような特定のデジタル資産、（ｉｉ）特定の消費者により所有された特定のｅブック表題の特定のコピーのようなデジタル資産の具体的なインスタンス、又は（ｉｉｉ）１つの特定のｅブックではなく１組のｅブックのような資産の種別に対して、承諾するか又は取り消することができる。
【００９９】
中古販売権利は、取りわけ、（ｉ）デジタル資産の最初のリリースから経過した時間の長さ、（ｉｉ）販売された資産のコピーの数、（ｉｉｉ）消費者により販売に向けて提供された資産のコピーの数、（ｉｖ）資産の販売によって生成された累積収益、（ｖ）中古販売された資産のコピーの数、（ｖｉ）デジタル資産の特定のコピーに対して、その資産の第１の中古販売から経過した時間の長さ、（ｖｉｉ）資産の特定のコピーに対して、消費者が資産を所有していた時間の長さ、（ｖｉｉｉ）資産の特定のコピーに対して、資産が中古販売された回数、（ｉｘ）例えば、価格設定マネージャ１７０によって提供することができる特定の資産の販売価格又は購入価格、又は上の（ｉ）−（ｉｘ）のあらゆる組合せを含むいくつかのファクタによって制御することができる。
【０１００】
本明細書に説明されている中古販売権利のいずれも、規則に説明されるトリガイベントに基づいて、権利マネージャ１６０が呼び出す規則として権利マネージャ１６０に提供することができる。例えば、ｅブックの出版社は、特定のｅブック表題が特定の日付に中古販売に利用可能になることになり、かつ１０，０００回の中古販売イベントが発生するまで中古販売に利用可能なままになると権利マネージャ１６０に通知する。
【０１０１】
代替的に、中古販売権利を絶対の権利として権利マネージャ１６０に提供することができる。例えば、ｅブックの出版社は、付加的な規則なしで、特定のｅブックが通知時現在で中古販売に利用可能であると権利マネージャ１６０に通知する。
【０１０２】
資産の特定のコピーが中古販売された回数に基づく中古販売権利に対して、権利マネージャ１６０は、一部の販売に向けて中古販売計数器を進めて、他の販売に対しては中古販売カウントタを進めないように命令することができる。例えば、第１の消費者から第２の消費者への電子中古資産の販売で中古販売計数器は計数し、一方、消費者から小売業者への電子中古資産の販売では中古販売計数器は計数しない。
【０１０３】
更に、権利マネージャ１６０は、他の消費者にデジタル資産を貸し出す消費者の権利のデータストアを使用する。本発明の実施形態において、デジタル資産の出版社又はデジタル資産の小売業者は、資産を購入した消費者が他の消費者に特定の条件下で資産を貸し出すことを可能にする。
【０１０４】
貸し出す権利は、（ｉ）特定のｅブック表題のような特定のデジタル資産、（ｉｉ）特定の消費者により所有された特定のｅブック表題の特定のコピーのようなデジタル資産の具体的なインスタンス、又は（ｉｉｉ）１つの特定のｅブックではなく１組のｅブックのような資産の種別に対して、承諾するか又は取り消することができる。
【０１０５】
貸し出す権利は、取りわけ、中古販売権利を参照して本明細書で上述したファクタを含むいくつかのファクタによって制御することができる。
【０１０６】
更に、取りわけ、（ｉ）単一の消費者により同時に貸し付けることができる資産のコピーの数、及び（ｉｉ）単一の貸出しイベントの最大時間を含むいくつかのファクタにより、このような貸し出す権利を制御することができる。例えば、デジタル資産の出版社は、デジタル資産を購入した消費者が２週間のみの期間にわたって１人の第２の消費者に資産の１つのコピーを貸し付けることができると指定することができる。
【０１０７】
権利マネージャ１６０によって維持される資産の貸し出す権利は、あらゆる他の消費者に資産を貸し出す一般的な権利とすることができ、又は限定された１組の消費者に資産を貸し出す権利とすることができる。
【０１０８】
価格設定マネージャ１７０
図１には、価格設定マネージャ１７０が示されており、価格設定マネージャ１７０は、外部的に供給された制約に基づいて及び動的計算に基づいて、電子中古デジタル資産に対して売買価格を判断する。
【０１０９】
価格設定マネージャ１７０は、取りわけ価格又は価格制約に関して、出版社及び小売業者から入力を受信する。更に、価格設定マネージャ１７０は、消費者からデジタル資産を販売指し値及びデジタル資産を購入指し値を受信し、各売買指し値は、特定の買い又は販売価格に関連している。このような売買指し値は、直接に消費者により価格設定マネージャ１７０に登録することができ、又は小売業者により又は売買指し値を集約する他のエンティティにより登録することができる。
【０１１０】
価格設定マネージャ１７０は、消費者又は他のエンティティに提供することができるこのような売買指し値を評価し、かつこのような売買指し値を使用して販売に向けて提供された資産に対して適切な売買価格を確立する。買い指し値を適合させることによってできるだけ多くの指し値を満足させることができることを保証するように売買価格を確立することができる。代替的に、販売価格と購入価格の間の値開きを最大にするように売買価格を確立することができる。
【０１１１】
外部的に供給された制約は、一定の購入価格及び販売価格とすることができ、又は資産が販売される度に変わる価格とすることができる。例えば、特定の資産の第２の階層の中古販売及び購入価格は、出版社により、それぞれ、５ドル及び１０ドルであると判断することができる。資産の最初の所有者は、第２の消費者への資産の販売にいて５ドルを受け取り、第２の消費者は、資産に１０ドルを支払う。更に、第３の階層の中古販売及び購入価格は、それぞれ、２ドル及び５ドルであると判断することができる。１０ドルで第２の階層の資産を購入した消費者は、資産を中古販売して、かつ販売に対して２ドルを受け取ることができ、購買消費者は、資産に５ドルを支払う。
【０１１２】
従って、本発明は、値開きを容易にし、従って、本明細書で以下に説明するように支払金マネージャ１８０により配分される財源が得られることが当業者により認められるであろう。
【０１１３】
支払金マネージャ１８０
図１には、支払金マネージャ１８０が示されており、支払金マネージャ１８０は、コンテンツ購入及びサプライチェーンにおいて様々な利害関係者に収益を割り当てる。
【０１１４】
本発明の実施形態による収益支出システム１２００の略示ブロック図である図１２を参照する。図１２には、データマネージャ１２１０が示されており、データマネージャ１２１０は、４つのデータストアを管理する。第１のデータストア１２２０は、コンテンツ、コンテンツ所有者及びコンテンツプロバイダの記録を記憶する。第２のデータストア１２３０は、ユーザ及び得られたコンテンツの記録を記憶する。第３のデータストア１２４０は、ユーザ及び期間に従って表示、再生、販売、及び貸し付けを含むコンテンツ使用履歴ログを記憶する。第４のデータストア１２４５は、取りわけ、（ｉ）メディア購入から、（ｉｉ）メディア購読から、（ｉｉｉ）メディアアクセスサービスから、及び（ｉｖ）広告からを含む様々なソースから生成された収益の記録を記憶する。
【０１１５】
図１２には、プレーヤデバイスのようなユーザコンテンツブラウザ１２５０も示されており、ユーザコンテンツブラウザ１２５０は、ユーザが、対話型に自分のコンテンツ及びプレイリストを閲覧、編成、かつこれらにアクセスすることを可能にする。
【０１１６】
図１２には、権利マネージャ１６０のような権利マネージャ１２６０も示されており、マネージャ１２６０がユーザが要求されたコンテンツに対する現在有効なライセンスを有することを確認した場合に、コンテンツルータ１３０のようなコンテンツプロビジョナー１２７０は、ユーザプレーヤデバイスに適合するフォーマットでユーザに要求されたコンテンツを供給することができる１つ又はそれよりも多くのソースを識別する。
【０１１７】
コンテンツ追跡器１５０のような追跡サーバ１２８０は、コンテンツのユーザの再生、販売、購入、及び貸し付けに関する履歴ログを記録し、支払金マネージャ１８０のような支払金マネージャ１２９０は、履歴ログを使用して、ユーザから受け取られた購読収益をコンテンツ所有者及びコンテンツプロビジョニング業者、及び購入及び配信チェーン内の他の利害関係者に支出する。
【０１１８】
本発明の実施形態は、取りわけ、（ｉ）コンテンツ所有者、（ｉｉ）サービスプロバイダ、（ｉｉｉ）コンテンツ配信業者、（ｉｖ）登録者、（ｖ）イネイブラー、（ｖｉ）消費者、及び（ｖｉｉ）本発明の実施形態の作動を可能にする他の売主を含むコンテンツ購入及びサプライチェーン内の様々なパートナー間の収益支出を可能にすることが当業者により認められるであろう。
【０１１９】
コンテンツ所有者は、コンテンツに対する知的所有権を保持するエンティティである。これらの権利には、取りわけ、出版権、録音に対する権利、ビデオ記録に対する権利、及び販売地域の権利がある。コンテンツ所有者は、取りわけ、レコード会社、楽譜出版者、ｅブック出版社、権利管理団体、映画撮影所、及び映画製作会社とすることができる。
【０１２０】
サービスプロバイダは、消費者に直接にサービスを提供する会社である。サービスプロバイダは、一般的に、顧客関係を維持し、かつ支払請求及び集金に対して責任がある。
【０１２１】
コンテンツ配信業者は、一般的に、得られたコンテンツを集約して消費者デバイスにコンテンツを配信することに対して責任がある。配信は、インターネット又は他の通信チャンネルでのダウンロード又はストリーミングを通じてである。一部の事例では、携帯電話会社は、固有のコンテンツを供給することができ、その場合に、携帯電話会社は、オペレータ及びコンテンツマネージャとして機能する。他の例では、コンテンツは、複数のコンテンツマネージャと共に常駐することができる。本発明の実施形態は、全ての例において統合及び収益支出をサポートする。
【０１２２】
登録者は、一般的に、登録器１２０にメディアの消費者所有を登録することに対して責任がある。登録者は、取りわけ、メディア販売業者とすることができる。店が消費者にメディア品目を売った時に、店は、登録器１２０に販売を通知し、登録器１２０は、メディア小売業者が、対象のメディア及び対象の顧客の登録者であることを示す記録を維持する。コンテンツサプライチェーンの適切なメンバに収益を割り当てる支払金マネージャ１８０は、この情報を利用する。
【０１２３】
イネイブラーは、一般的に、デバイス又はソフトウエアアプリケーションを本発明の実施形態に適合させることに対して責任がある。イネイブラーには、取りわけ、（ｉ）受話器で本発明の実施形態を利用する内蔵機能を有するモバイル受話器の製造業者、（ｉｉ）このような機能を有するモバイル受話器のソフトウエアの独立した開発業者、（ｉｉｉ）ｅブック読取ソフトウエアの開発業者、（ｉｖ）ｅブック読取デバイスの製造業者、及び（ｖ）プレーヤデバイス又はレコーダデバイスの製造業者又はこのような機能を有するプレーヤデバイス又はレコーダデバイスのソフトウエアの開発業者がある。
【０１２４】
本発明の実施形態の作動を可能にする他の売主は、一般的に、取りわけ、消費者のコンテンツのリストを維持し、消費者購読レベルのような権利管理及び基準に基づいて消費者のコンテンツにアクセスを制御し、消費者のコンテンツの特定を可能にする技術を供給し、かつコンテンツ販売及び消費者使用を追跡することに対して責任がある。一部の事例では、本発明の実施形態の作動を可能にする他の売主は、顧客関係、顧客支払請求、及び集金を処理し、かつクリアリングハウスとして機能することができる。ここでもまた、本発明の実施形態は、全ての事例において統合及び収益支出をサポートする。
【０１２５】
本発明の実施形態によるコンテンツ所有者、コンテンツ配信業者、サービスプロバイダ、登録者、イネイブラー、及び他のパートナー間の購読収益の分配を示す図である図１３Ａを参照する。図１３Ａには、レコード会社に消費者の購読収益の２５％、楽譜出版者に１０％、サービスプロバイダに３５％、登録者に２％、コンテンツ配信業者に１０％、イネイブラーに１％、及び他のパートナーに１７％を割り当てる収益分け前公式が示されている。
【０１２６】
本発明の実施形態による複数のコンテンツ所有者間でコンテンツ所有者に図１３Ａにおいて割り当てられた百分率を配分する会計報告書の図である図１３Ｂを参照する。会計報告書には、５ドルの購読手数料に基づいて、サービスプロバイダ（総収益から３５％）、イネイブラー（総収益から１％）、登録者（総収益から２％）、レコード会社（総収益から２５％）、コンテンツ配信業者（総収益から１０％）、及び出版社（総収益から１０％）の収益部分が示されている。レコード会社に割り当てられた２５％は、８社のレコード会社、すなわち、Ａｒｉｓｔａ  Ｒｅｃｏｒｄｓ、Ａｔｌａｎｔｉｃ  Ｒｅｃｏｒｄｓ  Ｇｒｏｕｐ、Ｃｏｌｕｍｂｉａ  Ｒｅｃｏｒｄｓ、ＢＭＧ  Ｈｅｒｉｔａｇｅ  Ｒｅｃｏｒｄｓ、ＥＭＩ、Ｉｎｔｅｒｓｃｏｐｅ  Ｒｅｃｏｒｄｓ、Ｌｅｇａｃｙ  Ｒｅｃｏｒｄｉｎｇｓ、及びＷａｒｎｅｒ  Ｍｕｓｉｃ  Ｇｒｏｕｐに沿って更に配分される。レコード会社間の収益の分配は、各レコード会社から消費者により再生されたコンテンツのピースの相対的な数に基づいている。従って、会計報告書１３１０に示すように、２００７年１１月１日〜２００７年１２月１日の期間中に消費者により再生されたコンテンツの７２個のピースのうちの３５個のピースは、Ｉｎｔｅｒｓｃｏｐｅというレコード会社からである。従って、Ｉｎｔｅｒｓｃｏｐｅには、２５％の収益の３５／７２、すなわち、０．６０８ドルである１．２５ドルの３５／７２が割り当てられる。
【０１２７】
消費者がＩｎｔｅｒｓｃｏｐｅというレコード会社からコンテンツの追加ピースを再生した場合に、報告書１３１０は、報告書１３２０に動的に変更され、Ｉｎｔｅｒｓｃｏｐｅへの割り当ては、０．６１６ドルである、２５％の収益の３６／７３に動的に上方調節される。同様に、報告書１３２０に示すように、他のレコード会社への２５％の割り当ては、下方調節される。
【０１２８】
追跡サーバ１２８０は、一般的に、ｎ社のコンテンツレコード会社ｋ＝１、２、…、ｎの各々に対して、コンテンツの消費者総使用量に対して指定の期間中に消費者がレコード会社番号ｋにより所有されたコンテンツを使用する相対的な頻度ｆ１、ｆ２、…、ｆｎを判断することが当業者により認められるであろう。指定の期間のｎコンテンツレコード会社に対する収益が、次に、相対的な頻度に基づいて割り当てられる。本発明の一実施形態において、ｆkは、指定の期間中に消費者により再生されたコンテンツのピースの総数に対して、レコード会社ｋにより所有され、かつ指定の期間中に消費者により再生されたコンテンツのピースの数である。例えば、８社のコンテンツレコード会社の報告書１３２０に提供する相対的な頻度は、３／７３、２／７３、４／７３、４／７３、１５／７３、３６／７３、２／７３、及び７／７３である。これらの相対的な頻度は、８社のレコード会社の間でレコード会社に充当される購読収益の１．２５ドルを割り当てる乗数である。
【０１２９】
本発明の別の実施形態において、ｆkは、指定の期間中にコンテンツを再生する消費者により費やされた総使用時間に対する指定の期間中にラベルｋにより所有されたコンテンツを再生する消費者により費やされた時間である。
【０１３０】
本発明の別の好ましい実施形態において、ｆkは、コンテンツの消費者総在庫に対する報告書生成時のレコード会社ｋに起因する消費者コンテンツ品目の数である。この割り当ては、再生イベントが特定の報告期間中になかった時に適用可能にすることができる。
【０１３１】
追跡サーバ１２８０の使用により、取りわけ、
・−ボリュームでスケーリングする百分率、
−コンテンツ再生でスケーリングする百分率、及び
−登録ユーザの数でスケーリングする百分率
のようなスライディングスケール百分率、
・予め確立された最低金額、
・比例配分された分割、
・総収益からの割り当て、及び
・−理事会内訳にわたるもの、
−期間の実際の収益内訳により比例配分された内訳、及び
−特定の群のメンバにわたる内訳
のような残りの収益の内訳、
を含む広範な収益分け前モデルがサポートされることが当業者により認められるであろう。
【０１３２】
本発明の実施形態によるコンテンツ使用許諾サービス内に統合されたコンテンツ購入及びサプライチェーン内の売主の要約図である図１４を参照する。図１４では、全て、コンテンツ使用許諾サービス内に統合されたコンテンツレコード会社、コンテンツスタジオ、コンテンツ配信業者、コンテンツ小売業者、及びサービスプロバイダが示されている。図１４に示す売主の各々は、消費者購読収益の一部分を受け取る資格がある。
【０１３３】
システムアーキテクチャ
本発明の実施形態によるデジタル資産レジストリ、経路指定及び追跡システム１５００の３層アーキテクチャの略示高レベルアーキテクチャ図である図１５を参照する。アーキテクチャは、通信層１５１０、ビジネス論理エンジン層１５２０、及びデータベース層１５３０を含む。層アーキテクチャにより拡張性及び堅牢性を目的として、システム１５００を分散して配置することができることが当業者により認められるであろう。
【０１３４】
通信層１５１０は、システム１５００と他のシステムの間の通信を制御する。取りわけ、ｅブック読取器デバイス、ｅブック読取器アプリケーション、携帯電話、ゲームコンソール、メディアプレーヤデバイス、及びメディアプレーヤソフトウエアを含む通信クライアントデバイスは、１組のクライアントウェブサービス１５１１により管理される。クライアントウェブサービス１５１１に適合する通信プロトコルを実行するデバイス又はアプリケーションは、システム１５００によって供給されるサービス及び特徴を利用することができる。
【０１３５】
通信層１５１０は、１組のパートナーウェブサービス１５１２も含む。会社又は他の第三者エンティティは、パートナーウェブサービス１５１２に適合する通信プロトコルを実行することにより、システム１５００の特徴及びサービスを使用することができる。このような会社には、取りわけ、支払金マネージャ１８０を参照して本明細書で上述したようにシステム１００から支払金を受け取ることができる会社がある。
【０１３６】
通信層１５１０は、１組の第三者コネクタ１５１３も含む。これらのコネクタは、パートナーウェブサービス１５１２に適合する通信プロトコルを実施せず、それにも関わらず、このようなエンティティがシステム１５００への統合から恩典を受けることを可能にするためのエンティティの専売インタフェースとすることができる。
【０１３７】
ビジネス論理エンジン１５２０は、取りわけ、図１のモジュール１１０〜１８０のビジネス論理を含むシステム１００の構成要素を参照して本明細書で上述した論理回路を実行する。これに対応して、ビジネス論理エンジン層１５２０は、名前空間マッパ１５２１、登録器１５２２、コンテンツルータ１５２３、在庫マネージャ１５２４、コンテンツ追跡器１５２５、権利マネージャ１５２６、価格設定マネージャ１５２７、及び支払金マネージャ１５２８のモジュールを含む。
【０１３８】
データベース層１５３０は、取りわけ、図１のモジュール１１０〜１８０のデータストアを含むシステム１５００に対して１つ又はそれよりも多くのデータストアを維持する。ビジネス論理層１５２０のモジュールの各々は、必要に応じてデータベース層１５３０に書込み、かつデータベース層１５３０から読み取る。
【０１３９】
本発明の実施形態によるシステム１５００のシステムのウェブサービス層１６００の略示アーキテクチャ図である図１６を参照する。
【０１４０】
ウェブサービス層１６００に入るウェブサービスメッセージは、メッセージ構文分析プログラム１６１０により構文分析され、メッセージ構文分析プログラム１６１０は、メッセージ上の語彙分析を実行して、成分構成物に分解する。メッセージ情報は、次に、メッセージバリデータ１６２０に渡され、メッセージバリデータ１６２０は、１組の試験を実行して、メッセージがウェブサービス層１６００に対して定義されたウェブサービスプロトコルに従って正しく構成されたか否かを判断する。正しく構成されたメッセージは、メッセージ認証器１６３０に渡され、メッセージ認証器は、取りわけ、（ｉ）ＩＰアドレスフィルタリング、（ｉｉ）セッション検証、及び（ｉｉｉ）ＰＫＩのような一般的に利用可能な技術を使用するメッセージ署名を含む方法によりメッセージ及びメッセージの送信側を認証する。
【０１４１】
このようにして構文分析され、検証され、かつ認証されるメッセージは、意味分析器１６４０に渡され、意味分析器１６４０は、行われている要求のタイプを分析して、ビジネス論理層１５２０の適切な構成要素に経路指定する。
【０１４２】
本発明の実施形態によるシステム１５００のシステムのウェブサービス層１７００及びデータベース層１７５０の略示アーキテクチャ図である図１７を参照する。
【０１４３】
エンジン層１７００は、複数のバックエンドノード１７１０を含むことができる。各このようなバックエンドノード１７１０は、システム１５００と通信する消費者又はデバイスの特定の部分集合に対応する。異なるバックエンドノード１７１０間の消費者及びデバイスの割り当ては、取りわけ、地理又はサービスに基づくことができる。
【０１４４】
データベース層１７５０は、ノード特定データベース１７５２及びマスターバックエンドデータベース１７５４を含む。ノード特定データベース１７５２の各インスタンスは、バックエンドノード１７１０の単一のインスタンスに関連し、かつそれによって維持されたデータを含む。このようなデータは、取りわけ、データベースの特定のバックエンドノード１７１０により対処される消費者の消費者メディアデータを含むことができる。
【０１４５】
マスターバックエンドデータベース１７５４は、システム１５００に対して１つのインスタンス内だけに存在し、全てのバックエンドノード１７１０にわたって共通であるデータを含む。
【０１４６】
エンジン層１７００も、マスターバックエンド１７２０を含み、マスターバックエンド１７２０は、バックエンドノード１７１０をマスターバックエンドデータベース１７５４と同期させる役目をする。
【０１４７】
バックエンドノード１７１０及びマスターバックエンド１７２０へのエンジン１７００の分解は、システム１５００が大きい拡張性をもたらすことを可能にするいくつかの機構の１つであることが当業者により認められるであろう。
【０１４８】
バックエンドノード１７１０の各インスタンスは、ウェブサービス層１７１２、ビジネス論理層１７１４、及びノード同期マネージャ１７１６を含む。
【０１４９】
ウェブサービス層１７１２は、ウェブサービス１５１０からの通信を受信する。ビジネス論理層１７１４は、システム１５００のコアビジネス論理回路を実行する。
【０１５０】
ノード同期マネージャ１７１６は、マスターバックエンド１７２０にデータを供給する。マスターバックエンド１７２０は、マスターバックエンドデータベース１７５４に、次に、ノード特定データベース１７５２の他のインスタンスにデータを伝播させる。
【０１５１】
データベース層１７５０を非特定データベース１７５２及びマスターバックエンドデータベース１７５４にセグメント化することは、非常に拡張性のあるいくつかの機構有効化システム１５００の１つであることが当業者により認められるであろう。
【０１５２】
本発明の実施形態によるシステム１５００のシステムのバックエンドノード１８００の略示アーキテクチャ図である図１８を参照する。バックエンドノード１８００は、バックエンドノード１７１０のインスタンスである。
【０１５３】
バックエンドノード１８００は、本明細書で上述したように、パートナー及びクライアントデバイスから要求を受信する。パートナーには、取りわけ、メディアコンテンツの所有者及びメディアコンテンツのプロバイダがある。クライアントデバイスには、取りわけ、ｅブック読取器、携帯電話、携帯式メディアプレーヤ、及び自動車デッキがある。バックエンドノード１８００は、メッセージディスパッチャ１８１０を使用して、エンジン１７００のコアビジネス論理回路を実行するモジュールのような１組のエンジンモジュール１８２０にメッセージを転送する。
【０１５４】
バックエンドノード１８００は、ノード特定データベース１７５２に対応するノード特定データベース１８３０、及びノードノード同期マネージャ１７１６に対応する同期マネージャ１８４０も含む。
【０１５５】
メッセージディスパッチャ１８１０は着信要求を管理して、適切な転送先に経路指定する。転送先は、エンジンモジュール１８２０のようなシステム１５００の内部に、又はコンテンツ所有者及びコンテンツ配信業者のようなシステム１５００外部にあることができる。
【０１５６】
エンジンモジュール１８２０は、システム１５００のコア機能性を実行する。エンジンモジュールは、一般的に、図１に示すサーバ構成要素の各々に対して存在する。付加的なモジュールは、付加的な機能性をもたらすか又は図１の構成要素に向けてサポート機能性をもたらすために存在することができる。
【０１５７】
エンジンモジュール１８２０は、データ集約モジュール１８２２、経路指定モジュール１８２４、及びマネージャモジュール１８２６に分割される。この分割は、人工的であり、異なるモジュールの役割を理解する際の明瞭さを期して本明細書で行われていることが当業者により認められるであろう。データ集約モジュール１８２２には、取りわけ、コンテンツ追跡器１５０がある。経路指定モジュール１８２４には、取りわけ、コンテンツルータ１３０がある。マネージャモジュール１８２６には、取りわけ、権利マネージャ１６０及び支払金マネージャ１８０がある。
【０１５８】
各エンジンモジュール１８２０は、ノード特定データベース１８３０においてその関連のデータストアを維持する。ノード特定データベース１８３０は、本明細書で上述したように、ノード同期マネージャ１８４０を通じてマスターバックエンドデータベース１７５４と同期する。
【０１５９】
デジタル資産に保険を掛けること
本発明は、デジタル資産の在庫を鑑定して保険を掛けるのに有利なものである。本発明は、消費者に消費者が有するメディア品目及び権利の正確なレジストリを供給して、かつ消費者が紛失及び窃盗のために消費者のコレクションに保険を掛けることを可能にすることにより、個人のメディアコレクションを蓄積することに有意なお金に投資する消費者に有利なものである。本発明は、自社が正確な鑑定価格で人々の貴重なメディア在庫に保険を掛け、かつ紛失又は盗まれたメディア品目に関する保険金請求を処理することを可能にすることにより、保険会社にも有利なものである。
【０１６０】
本発明はまた、紛失又は盗まれたメディアコレクションを差し替える簡単な機構を保険プロバイダに更に提供する。メディアは、紛失又は窃盗の前に有していた同じ物理又は非物理形態で差し替えることができ、すなわち、物理的ＣＤを物理的ＣＤで差し替え、コンピュータメディアファイルをコンピュータメディアファイルで差し替えることができる。
【０１６１】
本発明の実施形態によるデジタル資産の在庫を鑑定するためのシステムの略示ブロック図である図１９を参照する。システム１００の２つの構成要素、すなわち、コンテンツルータ１３０及び在庫マネージャ１４０が図１９に示されている。図１０を参照して本明細書で上述したように、在庫マネージャ１４０は、消費者の登録されたデジタル資産在庫に関する情報を維持する。更に、在庫マネージャ１４０は、権利マネージャ１６０を通じて、在庫内のデジタル資産に対する消費者の登録された権利にアクセス可能である。図８を参照して本明細書で上述したように、コンテンツルータ１３０は、コンテンツソース、及び取りわけメディアフォーマットを含むソースによって供給されたコンテンツに関する情報のデータストアを維持する。
【０１６２】
コンテンツルータ１３０及び在庫マネージャ１４０が利用可能な情報を組み合わせることにより、デジタル資産の消費者の在庫に対して鑑定価格を導出することができる。消費者の在庫内の各デジタル資産に対して、在庫鑑定器１９１０は、コンテンツルータ１３０により識別された適切なコンテンツソースのデジタル資産に対して消費者の登録された権利を購入する費用を判断する。在庫鑑定器１９１０は、消費者の在庫全体に対して鑑定価格を導出するために個々の費用を累算する。
【０１６３】
本発明の実施形態により、在庫鑑定器１９１０は、保険プロバイダシステム１９２０とインタフェースで接続し、保険プロバイダシステム１９２０は、鑑定を使用して、消費者のメディアコンテンツ在庫に保険を掛ける保険料を計算する。
【０１６４】
本発明の実施形態によるデジタル資産の在庫に保険を掛けるためのシステムの略示ブロック図である図２０を参照する。コンテンツルータ１３０及び在庫マネージャ１４０に加えて、図２０では、保険金請求プロセッサ２０１０及び取引マネージャ２０２０が示されている。保険金請求プロセッサ２０１０は、紛失又は盗まれている１つ又はそれよりも多くのデジタル資産に対して消費者から保険金請求を受信する。保険金請求プロセッサ２０１０は、保険金請求されたデジタル資産の各々に対する消費者の登録された権利を判断するために在庫マネージャ１４０と協議する。消費者が登録された権利を持たないデジタル資産が、保険金請求から除去される。残りのデジタル資産が、賠償に向けて取引マネージャ２０２０に伝達される。
【０１６５】
取引マネージャ２０２０は、保険金請求内の各デジタル資産に対して適切なコンテンツソースを識別するためにコンテンツルータ１３０と協議する。取引マネージャ２０２０は、消費者への賠償に向けてデジタル資産に対する登録された権利を取得するように先に進む。
【０１６６】
私的デジタル資産のようなデジタル資産がコンテンツソースから得られなかった場合に、在庫マネージャ１４０は、賠償を目的としてデジタル資産のコピーを保存する。
【０１６７】
本発明の実施形態により、在庫保険金請求プロセッサ２０１０及び取引マネージャ２１２０は、保険プロバイダシステムの構成要素であり、保険プロバイダシステムは、消費者のメディアコンテンツ在庫に保険を掛ける。
【０１６８】
本発明の実施形態によるデジタル資産の在庫を鑑定する方法の略示流れ図である図２１参照する。ステップ２１１０で、在庫マネージャは、消費者に属するデジタル資産の現在の在庫及び消費者が各デジタル資産に対して有する権利を動的に維持する。ステップ２１２０で、鑑定価格をゼロに初期化する。
【０１６９】
ステップ２１３０で、処理ループは、消費者の在庫内の各デジタル資産を処理する。ステップ２１４０で、デジタル資産を購入することができるコンテンツソースを識別する。ステップ２１２５０で、ステップ２１４０で識別されたコンテンツソースから購買顧客がデジタル資産に対して有する権利の費用を判断する。ステップ２１６０で、ステップ２１５０で判断された費用を鑑定価格に追加し、これは、従って、在庫全体を差し替える総経費を累算する。
【０１７０】
本発明の実施形態によるデジタル資産の在庫に保険を掛ける方法の略示流れ図である図２２を参照する。ステップ２２１０で、在庫マネージャは、消費者に属するデジタル資産の現在の在庫及び消費者が各デジタル資産に対して有する権利を動的に維持する。ステップ２２２０で、消費者の在庫の１つ又はそれよりも多くのデジタル資産に対する保険金請求を受信する。保険金請求は、紛失又はその窃盗の場合に、在庫全体又は在庫全体の一部に関する場合がある。
【０１７１】
ステップ２２３０で、処理ループは、保険金請求内の各デジタル資産を処理する。ステップ２２４０で、消費者が現在有効な権利を有するように保証するために、消費者がデジタル資産に対して有する権利を検証する。ステップ２２５０で、デジタル資産を購入することができるコンテンツソースを識別する。私的デジタル資産のようなデジタル資産がコンテンツソースから取得することができなかった場合に、賠償を目的としてデジタル資産のコピーを保存する。
【０１７２】
ステップ２２６０で、デジタル資産をステップ２２５０で識別されたコンテンツソースから取得し、紛失又は盗まれていた消費者の在庫内のデジタル資産を新しく得られた品目と差し替える。
【０１７３】
本発明のいくつかの実施形態において、ステップ２２４０〜２２６０上のループは、２つの別々のループで実行される。図２０の保険金請求プロセッサ２０１０のような保険金請求プロセッサによって実行される第１のループでは、ステップ２２４０で保険金請求内のデジタル資産を検証して、検証された保険金請求されたデジタル資産のリストを作り出す。図２０の取引マネージャ２０２０のような取引マネージャによって実行される第２のループでは、ステップ２２５０で各々が検証されたデジタル資産に対してコンテンツソースを識別して、ステップ２２６０でデジタル資産に対する消費者の登録された権利を取得する。
【０１７４】
図１９〜図２２のシステム及び方法は、消費者が図１のコンテンツプロビジョニング及び収益支払金システム１００の加入者であるか否かに関わらず、メディアコレクションを有する消費者に適用可能であることが当業者により認められるであろう。すなわち、コンテンツプロビジョニングから恩典を受けない消費者は、それにも関わらず、システム１００の構成要素により可能にされる鑑定及び保険特徴から恩典を受けることができる。メディア販売業者で単にデジタル資産を購入する消費者は、ＰＣの使用なしで、本発明を使用して、メディアコレクションに保険を掛けることができ、保険会社は、本発明を使用してこのような保険担保範囲を提供することができる。
【０１７５】
図１９〜図２２のシステム及び方法は、メディアを収集する博物館又は他のこのようなエンティティにより所有されたメディアアーカイブに適用可能であることが当業者により認められるであろう。
【０１７６】
電子中古デジタル資産
本発明は、「電子中古デジタル資産」の販売と本明細書で呼ぶデジタル資産の中古販売において有利なものである。用語「電子中古」は、以前に購入されたデジタル資産の販売又は貸し付けの形態での取得後の取引を指すために本明細書で使用する。例えば、電子ブック（「ｅブック」）を購入した消費者は、本発明を使用して、自分が最初にｅブックに支払った価格よりも低いと予想される価格で、所有することにもはや興味がない場合にｅブックを中古販売することができる。
【０１７７】
デジタル資産の中古販売を可能にすることにより、本発明は、取得後の取引及び収益の広範なビジネス可能性を可能にすることが当業者により認められるであろう。ｅブック例を参照すると、ｅブック読取器上の提示に向けて、電子小売業者のオンラインストアを通じて、Ａｍａｚｏｎ及びＢａｒｎｅｓ  ＆  Ｎｏｂｌｅのような従来技術のｅブック電子商取引システムは、出版社が電子小売業者を通じてｅブックを販売することを可能にしている。従って、電子小売業者Ａｍａｚｏｎは、ＫＩＮＤＬＥ（登録商標）のためにオンラインストアを通じてｅブックを販売し、電子小売業者Ｂａｒｎｅｓ  ＆  Ｎｏｂｌｅは、ＮＯＯＫ（登録商標）のためにオンラインストアを通じてｅブックを販売し、電子小売業者Ａｐｐｌｅは、ＩＰＡＤ（登録商標）のためにオンラインストアを通じてｅブックを売っている。各出版社は、単一の電子小売業者を通じて又は複数の電子小売業者を通じてその本を配信し、電子小売業者は、出版社のｅブックが販売された時にそれぞれの出版社に印税支払を支出する。これらの従来技術のシステムでは、販売及び収益機会は、電子小売業者が消費者に本を売った時点で終了する。
【０１７８】
物理的な本及びｅブックの従来技術のリリースモデルのリリース時系列の図である図２３Ａ及び図２３Ｂを参照する。図２３Ａに示すように、従来技術の物理的な本リリースモデルは、出版社及び小売業者に向けて収益機会を作り出す２つのステージ、すなわち、ハードカバーのリリースステージ２３１０及びペーパーバックのリリースステージ２３２０を可能にしている。図２３Ｂに示すように、従来技術のｅブックリリースモデルは、ｅブックリリースステージ２３３０時に出版社及びｅブック電子小売業者に向けて収益機会を作り出す単一のステップを可能にしている。
【０１７９】
本発明の実施形態によるｅブックのリリース時系列の図である図２３Ｃを参照する。図２３Ｃに示すように、ｅブックが電子中古販売に向けて可能にされた時に、複数の新しい収益機会が作り出される。収益機会は、ｅブックリリースの初期ステージ２３４０で残り、付加的な収益は、電子中古販売がそれぞれのステージ２３５０、２３６０、２３７０、及び２３８０で発生する度に達成される。
【０１８０】
本発明は、電子古本の販売を通じて、出版社、電子小売業者、及び消費者に向けて取得後収益を生成する第２のデジタル階層を可能にする。第２の階層は、消費者が自分の購入したｅブックを複数の電子小売業者にわたって他の消費者に販売することを可能にする。第２の階層は、出版社が、初期販売後に複数回ｅブックを再度収益化して、複数の電子小売業者を通じて消費者市場をより良好にターゲットにすることを可能にする。
【０１８１】
本発明により、出版社は、複数レジストリのレジストリに対して中古販売許可命令を出すことにより、電子古本として電子小売業者に中古販売に向けてｅブックの１つ又はそれよりも多くを出すことを許可することができる。中古販売許可命令を受信すると、最初に１つ又はそれよりも多くのｅブックを売った電子小売業者は、オンラインストアを通じて消費者に１つ又はそれよりも多くのｅブックを中古販売する機会を通知する。興味がある消費者は、ｅブックを中古販売したいという意欲を示すと、電子古本が、複数の電子小売業者にわたって販売のためのものであると登録される。従って、消費者は、異なる電子小売業者を通じて最初にｅブックを購入した消費者から電子小売業者を通じて電子古本を購入することができる。
【０１８２】
一般的な使用事例シナリオは、以下の通りである。
ｉ．ジョンは、２０１０年１月に、自分のＫＩＮＤＬＥ（登録商標）のためにＡｍａｚｏｎからＶａｎｇｕａｒｄ  Ｐｒｅｓｓにより出されたｅブック「Ｒｏｏｔｓ」を購入する。
ｉｉ．Ｖａｎｇｕａｒｄ  Ｐｒｅｓｓが、２０１０年１１月１日にＲｏｏｔｓのために中古販売許可命令を出し、Ａｍａｚｏｎが、Ｒｏｏｔｓを中古販売することができる通知書を送る。
ｉｉｉ．ジョンは、２０１０年１１月５日に、売れば１．９９ドルを受け取ることになる７．９９ドルでＲｏｏｔｓのコピーを中古販売することに判断し、ジョンの電子古本Ｒｏｏｔｓが、複数の電子小売業者にわたって販売のために入力される。
ｉｖ．ＮＯＯＫ（登録商標）を有するジェーンが、２０１０年１１月６日に、ＮＯＯＫ（登録商標）上で電子古本としての販売のためのジョンのｅブックを見て７．９９ドルで購入することを判断し、７．９９ドルをＢａｒｎｅｓ  ａｎｄ  Ｎｏｂｌｅに支払う。
７．９９ドルは、表ＩＩに示すように割り当てられる。
【０１８３】
（表ＩＩ）
2014507733.tif 000004
【０１８４】
本発明の実施形態によるデジタル資産の中古販売のためのシステム２４００の略示ブロック図である図２４を参照する。登録器１２０、在庫マネージャ１４０、及び電子中古清算モジュール２４１０が図２４に示されている。登録器１２０は、第１の電子小売業者Ｅ１からの第１の消費者Ｃ１によるデジタル資産の購入を登録する。デジタル資産は、出版社Ｐにより出される。デジタル資産は、取りわけ、ｅブック、ビデオ、歌、ゲーム、又はソフトウエアアプリケーションとすることができる。顧客Ｃ１は、自分にデジタルに資産を提示する１つ又はそれよりも多くの第１のデバイスＤ１を有する。
【０１８５】
出版社Ｐからの中古販売許可命令に応答して、電子小売業者Ｅ１は、電子中古デジタル資産として、中古販売にデジタル資産を提供する許可を有することを顧客Ｃ１に通知する。次に、顧客Ｃ１からの中古販売要求命令の受信に応答して、電子中古デジタル資産が、複数の電子小売業者のオンラインストアでの中古販売に向けて広告される。Ｅ１と同じ電子小売業者である場合もあれば、そうではない場合もある電子小売業者（Ｅ２）による電子中古デジタル資産が中古販売される時に、登録器１２０は、電子中古デジタル資産の購入を登録する。電子中古デジタル資産の購入者は、自分にデジタル資産を提示する１つ又はそれよりも多くの第２のデバイスＤ２を有する第２の消費者Ｃ２とすることができる。代替的に、電子中古デジタル資産の購入者は、電子小売業者又は別のエンティティとすることができる。
【０１８６】
電子中古デジタル資産の購入者により支払われた価格は、ｅブックにＣ１により支払われた初期価格よりも低いと予想される。しかし、これは、そうである必要はなく、特定の関連では、電子中古デジタル資産に支払われた価格は、Ｃ１により支払われた初期価格と同じか又はそれより高い場合がある。
【０１８７】
電子中古デジタル資産が売れると、電子中古清算モジュール２４１０は、少なくとも１つの第１のデバイスＤ１がデジタル資産を提示するのを阻止する。電子中古清算モジュールはまた、少なくとも参加者Ｃ１、Ｐ、Ｅ１、Ｅ２、及びシステム２４００を提供するサービスプロバイダ間での電子中古デジタル資産に支払われた価格の割り当てを例えば表ＩＩのように判断する。代替的に、消費者Ｃ１には、現金の代わりに、出版社Ｐにより、又は電子小売業者Ｅ１により、又は電子小売業者Ｅ２により、デジタル資産の購入に対するクレジットを割り当てることができる。
【０１８８】
消費者Ｃ１の自由裁量で、中古販売要求命令は、出版社Ｐの中古販売許可命令に応答して自動的に生成することができる。従って、消費者Ｃ１は、出版社Ｐがその許可を承諾すると直ちに自分のデジタル資産を中古販売するために予め登録することができる。
【０１８９】
本発明の実施形態により、指定された最大回数まで、中古販売されたデジタル資産を更に中古販売することができる。従って、消費者Ｃ１は、消費者Ｃ２に電子中古デジタル資産として自分のデジタル資産を販売することができ、消費者Ｃ２は、後日、消費者Ｃ３に自分の電子中古デジタル資産を中古販売することができる。デジタル資産が中古販売することができる最大回数に対する固有の限度により、典型的には、毎回の連続した販売で販売価格が下る。
【０１９０】
本発明の実施形態によるデジタル資産の中古販売の方法の略示流れ図である図２５を参照する。ステップ２５１０で、第１の電子小売業者Ｅ１からの第１の消費者Ｃ１によるデジタル資産の購入を第１のデバイスＤ１上又は複数の第１のデバイス上の消費者Ｃ１への提示に向けて登録する。ステップ２５２０で、中古販売許可命令をデジタル資産の出版社Ｐから受信する。中古販売許可命令を手動で出版社Ｐによって生成することができ、又は出版社Ｐの自由裁量で、権利マネージャ１６０を参照して本明細書で上述したように、トリガイベントの発生で自動的に生成することができる。
【０１９１】
ステップ２５３０で、電子中古デジタル資産としてデジタル資産を中古販売する許可を有することを消費者Ｃ１に通知する。ステップ２５４０で、中古販売要求命令を消費者Ｃ１から受信する。中古販売許可命令を手動で消費者Ｃ１によって生成することができ、又は消費者Ｃ１の自由裁量で出版社Ｐの中古販売許可命令に応答して自動的に生成することができる。従って、消費者Ｃ１は、出版社Ｐがその許可を承諾すると直ちに自分のデジタル資産を中古販売するために予め登録することができる。ステップ２５５０で、複数の電子小売業者に、販売に向けて消費者Ｃ１の電子中古デジタル資産を広告するように命令する。
【０１９２】
買い手により電子中古デジタル資産が購入される時に、ステップ２５６０で購入を登録する。買い手は、必ずしもＥ１と同じ電子小売業者であるというわけではない第２の電子小売業者Ｅ２を通じて電子中古デジタル資産を購入する第２の消費者とすることができ、又は買い手は、電子小売業者の１つとすることができ、又は買い手は、第三者エンティティとすることができる。
【０１９３】
ステップ２５７０で、デバイスＤ１がデジタル資産を提示するのを阻止する。ステップ２５７０は、デバイスＤ１からデジタル資産を除去することによって実行することができる。代替的に、デバイスＤ１がデジタル資産を提示するのを無効化することにより、ステップ２５７０を実行することができる。
【０１９４】
ステップ２５８０で、表ＩＩに示すサンプル割り当てのような電子古本に支払われた購入価格の割り当てを少なくとも出版社Ｐ、消費者Ｃ１、及び電子小売業者Ｅ１及びＥ２の間で判断する。代替的に、現金の代わりに、出版社Ｐにより、又は電子小売業者Ｅ１により、又は電子小売業者Ｅ２により、デジタル資産の購入に対するクレジットを消費者Ｃ１に割り当てることができる。
【０１９５】
図２５内の破線の矢印によって示すように、ステップ２５３０〜２５８０を許容最大回数まで繰り返すことができ、従って、デジタル資産を複数回連続した買いにより中古販売することができる。従って、消費者Ｃ１は、消費者Ｃ２に電子中古デジタル資産として自分のデジタル資産を販売することができ、消費者Ｃ２は、後日、消費者Ｃ３に自分の電子中古デジタル資産を中古販売することができる。デジタル資産を中古販売することができる最大回数に対する固有の限度により、典型的には、毎回の連続した販売で販売価格が下る。
【０１９６】
本発明の実施形態において、図２５に示す資産中古販売のような資産中古販売は、小売業者又は複数の小売業者によって行われ、電子中古資産は、１人の消費者から第２の消費者に販売される。
【０１９７】
本発明の別の好ましい実施形態において、小売業者は、資産を購入するのに利用可能な買い手を有することなく、消費者により販売に提供された電子中古資産を購入することができる。この場合に、小売業者は、将来の販売に向けて電子中古資産の在庫を作り出す。小売業者は、従って、特定の電子中古資産に対して市場での不足を引き起して資産の値を上げることができることが当業者により認められるであろう。
【０１９８】
本発明の更に別の実施形態において、取引を容易にするために、小売業者なしで、電子中古資産の中古販売を第２の消費者に直接に１人の消費者から行うことができる。例えば、本発明の実施形態を使用して、消費者がＥＢＡＹ（登録商標）のようなサイトの上で販売に出したデジタル資産の販売を容易にすることができる。
【０１９９】
本発明は、第１の消費者Ｃ１が、貸出し手数料の有無に関わらず、貸付期間の継続時間にわたって第２の消費者Ｃ２に自分のデジタル資産を貸し出すようにデジタル資産を貸し出すシステムを提供する際にも有利なものである。本発明の実施形態によるデジタル資産を貸し出すためのシステムの略示ブロック図である図２６を参照する。図２６には、登録器１２０、在庫マネージャ１４０、及び貸付清算モジュール２６１０が示されている。登録器１２０は、電子小売業者Ｅ１からの第１の消費者Ｃ１によるデジタル資産の購入を登録する。デジタル資産は、出版社Ｐにより出される。デジタル資産は、取りわけ、ｅブック、オーディオブック、ビデオ、歌、ゲーム、又はソフトウエアアプリケーションとすることができる。消費者Ｃ１は、自分にデジタル資産を提示する１つ又はそれよりも多くの第１のデバイスＤ１を有する。
【０２００】
出版社Ｐからの貸出許可命令が出される時に、消費者Ｃ１が、別の指定されたか又は指定されていない消費者への貸し付けにデジタル資産を提供することを可能にされる。貸し付けは、特定の貸付期間に向けて延長され、これには、貸出し手数料の支払が必要である場合がある。消費者Ｃ２への貸し付けが行われると、登録器１２０は、１つ又はそれよりも多くの第２のデバイスＤ２上での提示に向けて消費者Ｃ２へのデジタル資産の貸し付けを登録する。貸付清算モジュール２６２０は、デバイスＤ１が貸付期間の継続時間にわたってデジタル資産を提示するのを阻止して、デバイスＤ２がデジタル資産を提示することを可能にする。貸付清算モジュールは、取りわけ、出版社Ｐ、消費者Ｃ１、及び電子小売業者Ｅのような１つ又はそれよりも多くのエンティティの１つの消費者Ｃ２により支払われた貸出し手数料の割り当て（もしあれば）を判断する。
【０２０１】
貸付期間終了後に、貸付清算モジュールは、デバイスＤ１がデジタル資産を提示することを再び可能にして、デバイスＤ２がデジタル資産を更に提供することを阻止する。
【０２０２】
権利マネージャ１６０を参照して本明細書で上述したように、出版社Ｐの自由裁量で、貸出許可命令を手動で出版社Ｐによって生成することができ、又はトリガイベントの発生で自動的に生成することができる。
【０２０３】
本発明の実施形態によるデジタル資産を貸し出す方法の略示流れ図である図２７を参照する。ステップ２７１０で、第１のデバイスＤ１上又は複数の第１のデバイス上での消費者Ｃ１への提示に向けて、電子小売業者Ｅを通じた第１の消費者Ｃ１によるデジタル資産の購入を登録する。ステップ２７２０で、貸出許可命令をデジタル資産の出版社Ｐから受信する。権利マネージャ１６０を参照して本明細書で上述したように、貸出許可命令を手動で出版社Ｐによって生成することができ、又は出版社Ｐの自由裁量でトリガイベントの発生で自動的に生成することができる。
【０２０４】
ステップ２７３０で、消費者Ｃ１は、指定されたか又は指定されていない消費者にデジタル資産を貸し付けることを可能にされる。第２の消費者Ｃ２への貸し付けが行われると、第２のデバイスＤ２上又は複数の第２のデバイス上での消費者Ｃ２への提示に向けて、ステップ２７４０で貸し付けを登録する。
【０２０５】
ステップ２７５０で、デバイスＤ１が貸付期間の継続時間にわたってデジタル資産を提示するのを阻止する。ステップ２７５０は、デバイスＤ１からデジタル資産を除去することによって実行することができる。代替的に、デバイスＤ１がデジタル資産を提示するのを無効化することにより、ステップ２７５０を実行することができる。ステップ２７６０で、デバイスＤ２が貸付期間の継続時間にわたってデジタル資産を提示することを許可する。ステップ２７６０は、保管に向けてデバイスＤ２にデジタル資産を供給するステップを含むことができる。
【０２０６】
ステップ２７８０で、デバイスＤ１が貸付期間終了後にデジタル資産を提示することを再度許可する。ステップ２７９０で、デバイスＤ２が貸付期間終了後にデジタル資産を更に提供するのを阻止する。
【０２０７】
クラブの他の会員に対して、登録された自分のデジタル資産を貸し出す許可が承認される。本発明の実施形態によるｅブック貸出クラブの略示図である図２８Ａ及び図２９を参照する。ステップ２８０５で、１人又はそれよりも多くの消費者は、第三者エンティティにより運用された貸出クラブを入るために登録する。ステップ２８１０で、１人又はそれよりも多くの消費者は、ｅブックライブラリ及びｅブック読者を登録する。ステップ２８１５で、貸出クラブは、その会員の各々に対して、会員による貸し出しに利用可能な全ての表題のリストを公開する。ステップ２８２０で、貸出クラブは、貸出クラブマネージャへの貸し付けに利用可能な本に関するデータを供給する。ステップ２８２５で、貸出クラブマネージャは、データストアに貸し出しに利用可能な消費者、デバイス、及び本に関するデータを記憶する。
【０２０８】
ステップ２８３０で、消費者Ｃ１は、自分の本の１つ、例えば、本Ｂを貸し出しに利用可能と貸出クラブに登録する。消費者Ｃ１は、ｅブック読取器、例えば、ｉＰａｄ（登録商標）を有する。ステップ２８３５で、別の消費者Ｃ２は、本Ｂが利用可能であると知って、本の貸し付けを貸出クラブに要求する。消費者Ｃ２は、ｅブック読取器、例えば、ＫＩＮＤＬＥ（登録商標）を有する。
【０２０９】
ステップ２８４０で、貸出クラブは、消費者Ｃ１から消費者Ｃ２への本Ｂの貸し付けの要求を貸出クラブマネージャに出す。ステップ２８４５で、貸出クラブマネージャは、最初に消費者Ｃ１に本Ｂを売った電子小売業者（Ｅ１）に対して、消費者Ｃ１のｉＰａｄ（登録商標）が本Ｂを読み取るのを無効化する要求を出す。ステップ２８５０で、電子小売業者Ｅ１、この場合アップルは、本Ｂを消費者Ｃ１のｉＰａｄ（登録商標）上で読み取り不可にする。
【０２１０】
ステップ２８５５で、貸出クラブマネージャは、電子小売業者Ｅ２、この場合Ａｍａｚｏｎに対して、消費者Ｃ２のデバイスに本Ｂを配信し、読取に向けて可能するように命令する。ステップ２８６０で、電子小売業者Ｅ２は、要求された配信及び可能を実行する。
【０２１１】
貸付期間の終了が到来した時に、ステップ２８６５で、電子小売業者Ｅ２は、本Ｂを消費者Ｃ２のデバイス上で読取不能にし、ステップ２８７０で、電子小売業者Ｅ１は、消費者Ｃ１のデバイスが本Ｂを読み取ることを可能にする。
【０２１２】
図２８Ｂの処理を通して行われるステップ２８７５で、貸出クラブマネージャは、貸出クラブが相応に会員を更新することができるように、貸出クラブに全ての要求及びステータスを知らせる。
【０２１３】
このような貸出クラブでは、清算モジュール２６２０のような清算モジュールは、取りわけ、貸し出しに向けて登録された本の出版社又は実際に貸り入れられた本の出版社及び貸し付けを容易にした１つ又はそれよりも多くの電子小売業者間でのクラブ会員により支払われた手数料の割り当てを判断する。
【０２１４】
本発明は、電子中古デジタル資産を売り買いする市場をもたらし、その適切な市価を判断して、市場において流動性を作り出す際にも有利なものである。本発明の実施形態によるデジタル資産に対する市価を判断するためのシステムの略示ブロック図である図２９を参照する。登録器１２０、分析モジュール２９１０、及び収益割当器２９２０が図２９に示されている。登録器１２０は、電子小売業者Ｅを通じてデジタル資産を購入し、かつデジタル資産を中古販売する資産の許可を出版社Ｐからを取得したそれぞれ１人又はそれよりも多くの消費者によるデジタル資産を販売するための１つ又はそれよりも多くの指し値を登録する。登録器１２０は、デジタル資産を購入するそれぞれ１人又はそれよりも多くの潜在的な買い手による１つ又はそれよりも多くの指し値も登録する。
【０２１５】
分析モジュール２９１０は、登録器１２０により登録された販売指し値及び購入指し値を分析し、かつ需要と供給に基づいてデジタル資産に向けて価格を判断する。収益割当器２９２０は、取りわけ、出版社Ｐ、電子小売業者Ｅ、及び売り手の１つ又はそれよりも多くの間で収益を割り当てる。
【０２１６】
出版社Ｐは、中古販売価格を抑制することができ、例えば、出版社Ｐは、価格が少なくとも２．００ドルであることを要求することができる。
【０２１７】
分析モジュール２９１０は、（ｉ）販売指し値のそれぞれの価格、（ｉｉ）販売指し値が登録器１２０により登録される順序、及び（ｉｉｉ）販売指し値を出すそれぞれ１人又はそれよりも多くの消費者の販売又は購入履歴といったファクタの１つ又はそれよりも多くに基づいて、販売指し値を処理するための優先順位も判断する。
【０２１８】
本発明の実施形態により、販売する各指し値は、販売に提供されたデジタル資産のそれぞれの数のコピーを含むことができる。分析モジュール２９１０はまた、販売指し値を処理するための優先順位を（ｉｖ）販売する各指し値において販売に提供されたデジタル資産のコピーのそれぞれの数にも基づくことができる。
【０２１９】
本発明の実施形態によるデジタル資産に対する市価を判断する方法の略示流れ図である図３０を参照する。ステップ３０１０で、デジタル資産を販売する電子小売業者を通じてデジタル資産を購入し、デジタル資産を中古販売する許可を資産の出版社Ｐから取得したそれぞれ１人又はそれよりも多くの消費者による１つ又はそれよりも多くの指し値を登録する。ステップ３０２０で、デジタル資産を購入するそれぞれ１人又はそれよりも多くの潜在的な買い手による１つ又はそれよりも多くの指し値を登録する。
【０２２０】
ステップ３０３０で、需要と供給に基づいてデジタル資産に向けて価格を判断するために登録された販売指し値及びそれを購入する指し値を分析する。ステップ３０４０で、（ｉ）販売指し値のそれぞれの価格、（ｉｉ）販売指し値が登録された順序、及び（ｉｉｉ）販売指し値を出すそれぞれ１人又はそれよりも多くの消費者の販売又は購入履歴といったファクタの１つ又はそれよりも多くに基づいて販売指し値を処理するための優先順位を判断する。
【０２２１】
本発明の実施形態により、販売する各指し値は、販売に提供されたデジタル資産のそれぞれの数のコピーを含むことができる。ステップ３０４０はまた、（ｉｖ）販売する各指し値において販売に提供されたデジタル資産のコピーのそれぞれの数に基づくことができる。
【０２２２】
ステップ３０５０で、取りわけ、出版社、電子小売業者、及び売り手の１つ又はそれよりも多くの間で潜在的な買い手によるデジタル資産に支払われた価格を割り当てる。
【０２２３】
本発明の実施形態において、分析モジュール２９１０は、エンティティがデジタル資産のための市場を確立することを可能にする。分析モジュール２９１０の価格設定分析に基づいて、エンティティは、消費者が市場により決まる購入価格で又はそれよりも低い最低値段で販売資産を提供する時はいつでも、所定のデジタル資産に対して公正な購入価格及び販売価格を判断し、その判断された価格で中古販売に提供された資産を買い取る。このようにして、エンティティは、株取引の値付業者が株式及び他の有価証券の流動性を保証するのと同じ方法でデジタル資産のための市場の流動性を保証する。
【０２２４】
本発明の実施形態によるデジタル資産の市場を作り出す方法の略示流れ図である図３１を参照する。ステップ３１１０で、デジタル資産を所有し、かつ出版社により指定された価格帯でデジタル資産を販売する許可を出版社から取得したそれぞれ１人又はそれよりも多くの消費者による出版社により出版されたデジタル資産を販売するための１つ又はそれよりも多くの指し値を登録する。ステップ３１２０で、デジタル資産を購入するそれぞれ１人又はそれよりも多くの潜在的な買い手による１つ又はそれよりも多くの指し値を登録する。ステップ３１３０で、収益分け前を登録し、収益分け前は、出版社に割り当てられる売上げ収益の各部分を規定する。
【０２２５】
ステップ３１４０で、売買価格を判断するために、販売するための１つ又はそれよりも多くの登録された指し値、購入するための１つ又はそれよりも多くの登録された指し値、及び登録された収益分け前を分析する。ステップ３１５０で、資産を販売する登録された指し値を有する１人又はそれよりも多くの消費者からデジタル資産のコピーを判断された購入価格で購入する。ステップ３１６０で、資産を購入する登録された指し値を有する１人又はそれよりも多くの潜在的な買い手に購入された資産を判断された販売価格で販売する。ステップ３１７０で、登録された収益分け前に従って出版社に売上げ収益の一部分を割り当てる。
【０２２６】
本発明の実施形態によるデジタル資産の市場を作り出すためのシステムの略示ブロック図である図３２を参照する。市場登録器３２１０、市場分析器３２２０、及び市場取引マネージャ３２３０が図３２に示されている。
【０２２７】
市場登録器３２１０は、デジタル資産を所有し、かつ出版社により指定された価格帯でデジタル資産を販売する許可を出版社から取得したそれぞれ１人又はそれよりも多くの消費者による出版社により出版されたデジタル資産を販売するための１つ又はそれよりも多くの指し値を登録する。市場登録器３２１０は、デジタル資産を購入するそれぞれ１人又はそれよりも多くの潜在的な買い手による１つ又はそれよりも多くの指し値も登録する。市場登録器３２１０は、出版社に割り当てられる売上げ収益の各部分を規定する収益分け前も登録する。
【０２２８】
市場分析器３２２０は、売買価格を判断するために、販売するための１つ又はそれよりも多くの登録された指し値、購入するための１つ又はそれよりも多くの登録された指し値、及び登録された収益分け前を分析する。
【０２２９】
市場取引マネージャ３２３０は、資産を販売する登録された指し値を有する１人又はそれよりも多くの消費者からデジタル資産のコピーを判断された購入価格で購入する。市場取引マネージャ３２３０はまた、資産を購入する登録された指し値を有する１人又はそれよりも多くの潜在的な買い手に購入した資産を判断された販売価格で販売する。市場取引マネージャ３２３０はまた、登録された収益分け前に従って出版社に売上げ収益の一部分を割り当てる。
【０２３０】
以上の明細書では、本発明を例示的な実施形態を参照して説明したが、特許請求の範囲に説明するような本発明のより広い精神及び範囲から逸脱することなく特定の例示的な実施形態に様々な修正及び変形を行うことができることは明らかであろう。従って、本明細書及び図面は、制限的な意味ではなく、例示的な意味で考えるべきである。
【符号の説明】
【０２３１】
１１０  名前空間マッパ
１２０  登録器
１３０  コンテンツルータ
１４０  在庫マネージャ
１５０  コンテンツ追跡器
【図１】
2014507733.tif 000005
【図２】
2014507733.tif 000006
【図４】
2014507733.tif 000007
【図５】
2014507733.tif 000008
【図８】
2014507733.tif 000009
【図１０】
2014507733.tif 000010
【図１１】
2014507733.tif 000011
【図１２】
2014507733.tif 000012
【図１６】
2014507733.tif 000013
【図１８】
2014507733.tif 000014
【図１９】
2014507733.tif 000015
【図２０】
2014507733.tif 000016
【図２１】
2014507733.tif 000017
【図２２】
2014507733.tif 000018
【図２４】
2014507733.tif 000019
【図２５】
2014507733.tif 000020
【図２６】
2014507733.tif 000021
【図２７】
2014507733.tif 000022
【図２９】
2014507733.tif 000023
【図３０】
2014507733.tif 000024
【図３１】
2014507733.tif 000025
【図３２】
2014507733.tif 000026
【図３】
2014507733.tif 000027
【図６Ａ】
2014507733.tif 000028
【図６Ｂ】
2014507733.tif 000029
【図６Ｃ】
2014507733.tif 000030
【図７Ａ】
2014507733.tif 000031
【図７Ｂ】
2014507733.tif 000032
【図７Ｃ】
2014507733.tif 000033
【図９】
2014507733.tif 000034
【図１３Ａ】
2014507733.tif 000035
【図１３Ｂ】
2014507733.tif 000036
【図１４】
2014507733.tif 000037
【図１５】
2014507733.tif 000038
【図１７】
2014507733.tif 000039
【図２３Ａ】
2014507733.tif 000040
【図２３Ｂ】
2014507733.tif 000041
【図２３Ｃ】
2014507733.tif 000042
【図２８Ａ】
2014507733.tif 000043
【図２８Ｂ】
2014507733.tif 000044
【国際調査報告】
2014507733.tif 000045
2014507733.tif 000046
2014507733.tif 000047
2014507733.tif 000048